(57)【要約】  本発明は、ECG曲率の解析のためのシステムと方法に関連し、システムは以下に示す特徴を有する数学的な解析を含み、幾つかの異なるパラメータが分離され、コンピュータ手段内に保存され、第１数のパラメータが少なくとも１つのメイングループから選択され、選択されたパラメータは少なくとも第１の数学的解析において組み合わされる。特に、ノッチ又は凹面などの曲率の複雑な部分に対し、ECG曲率の数学的解析を改善することが、本発明の目的である。これは、対称性、平坦性、持続時間、及び／又は複雑性のグループからパラメータを選択し、パラメータをアルゴリズムへの入力として使用することにより実現でき、凹面の間隔はECGセグメントのサブセグメント上で評価され、上向き及び下向き凹面の数量化の基礎となり、アルゴリズムに基づくシステムはECG曲率の凹面を検出し、数量化する。これにより、複雑な曲率を解析することができ、この複雑な曲率が、既存技術ではECG曲率上で読み取ることが非常に困難である病気の症状を示す。
2010510840.tif 000002
【特許請求の範囲】
【請求項１】
ECG曲率を解析するためのシステムであって、該システムは数学的解析を実行し、該数学的な解析は、
ａ：前記システムは、少なくとも１つのECG出力源と接続された入力手段を有し、
ｂ：幾つかの異なるパラメータが分離され、コンピュータ手段内に保存され、
ｃ：少なくとも１つの主グループから第１数のパラメータを選択し、
ｄ：少なくとも第１の数学的解析において前記選択されたパラメータを組み合わせ、該パラメータは、対称性（S1−S72）、平坦性（F1−F91）、持続時間（D1−D47）、及び／又は複雑性（C1−C468）のグループから選択されることを特徴とし、
ｅ：前記数学的解析において、前記ECG曲率のセグメントを抽出し、
ｆ：前記セグメントは、決定された心電図ポイント間の間隔に対応し、
ｇ：前記セグメントは、アルゴリズムへの入力として使用され、
ｈ：基準ポイントアルゴリズムは、前記セグメントにおける基準ポイントを自動的に計算し、
ｉ：凹面間隔が前記ECGセグメントのサブセグメントにおいて評価され、上向き及び下向き凹面の数量化の基本となり、
ｊ：アルゴリズムに基づく前記システムはECG曲率における凹面を検出し、数量化する、
ステップを少なくとも有する、システム。
【請求項２】
T波出現とT波消失の間の間隔に対応して、ECG再分極信号の少なくとも１つのセグメントが選択され、選択された間隔内において、振幅の範囲（y）が第１の所定値に等しくなるように前記セグメントが正規化されることを特徴とする、請求項１に記載のシステム。
【請求項３】
T波出現とT波消失の間の間隔に対応して、ECG再分極信号の少なくとも１つのセグメントが選択され、前記選択された間隔内において、持続間隔（x）が第２の所定値に等しくなるように前記セグメントが正規化されることを特徴とする、請求項１又は２に記載のシステム。
【請求項４】
ECG再分極セグメントの（時間に対する）一次及び二次の導関数が、T波出現とT波消失の間の間隔において決定され、続いて、該２つの導関数信号は、方程式１を用いて、曲率の半径（Rcurv）信号を計算するために使用されることを特徴とする、請求項１−３のいずれか１項に記載のシステム。
【数１】
2010510840.tif 000011
xは時間スケールであり、yは（ECG）信号である。
【請求項５】
ECGの再分極セグメントにおける局部下向き凹面の位置を特定するために、任意の２つの再分極基準ポイント間の前記Rcurv信号における極大値（LmRcurv）が決定されることを特徴とする、請求項４に記載のシステム。
【請求項６】
ECGの再分極セグメントにおける局部上向き凹面の位置を特定するために、任意の２つの再分極基準ポイント間の前記Rcurv信号における極小値が決定されることを特徴とする、請求項４に記載のシステム。
【請求項７】
前記Rcurv信号における極小値に隣接する極大値の任意の連続する構成を特定するために、前記Rcurv信号が更に調査され、ECGの再分極セグメントにおける任意の凹面の大きさを評価するために、特定された極大値及び極小値の値が使用されることを特徴とする、請求項６に記載のシステム。
【請求項８】
T波ピーク前の第１の特定された期間において開始し、T波ピーク後の第２の特定された期間において終了するカーブセグメントにおいて窓が定義され、該窓内において、前記曲率が前記Rcurv信号の更なる解析から除外され、零より低い振幅を持つ任意数のLmRcurv信号値が更なる解析から除外され、所定のしきい値より低いECG再分極の振幅に時間上で対応する任意数のLmRcurv信号値が更なる解析から除外されることを特徴とする、請求項４に記載のシステム。
【請求項９】
局部下向き凹面の存在の確実性測量（Cm）を得るために、全ての参照ポイントの一方の側における前記Rcurvの正のセグメント持続時間が、対応するLmRcurv値の値で乗算されることを特徴とする、請求項４に記載のシステム。
【請求項１０】
しきい値（Thr）を超える確実性測量が、凹面間隔が決定され、局部下向き凹面が数量化される位置として定義されることを特徴とする、請求項９に記載のシステム。
【請求項１１】
しきい値（Thr）を超える確実性測量が存在しなく、第１のサブセグメントが２つの区分的な傾斜したセグメントにより生成され、第１の傾斜したサブセグメント（T1tilt）は、T波出現とT波ピークの間の再分極間隔により与えられ、ここから２つの最終ポイント間の線形関数が引かれ、第２の傾斜したサブセグメント（T2tilt）は、T波ピークとT波消失の間の再分極間隔により与えられ、ここから２つの最終ポイント間の線形関数が引かれることを特徴とする、請求項１０に記載のシステム。
【請求項１２】
上向き凹面スコアが計算され、どちらか一方の区分的な再分極セグメントにおける最小の負の極小値が初期の上向き凹面スコア（IuS）として使用され、該スコアは最終の上向き凹面スコア（CuS）を得るために補正され、その関係は方程式３で与えられることを特徴とする、請求項１１に記載のシステム。
【数２】
2010510840.tif 000012
【請求項１３】
しきい値（Thr）を超える確実性測量が存在し、少なくとも１つの第３のサブセグメントが凹面間隔内の区分的な傾斜したセグメントにより生成され、ここから凹面間隔内の２つの最終ポイント間の線形関数が引かれることを特徴とする、請求項１０に記載のシステム。
【請求項１４】
全ての傾斜したサブセグメント（N）が評価され、前記凹面間隔内の前記傾斜したサブセグメントにおける（T3tiltmax）から（TNtiltmax）までの最大値が決定され、全体の最大値が方程式２で与えられるECG再分極セグメントの最終凹面下向きスコア（CdS）となることを特徴とする、請求項１３に記載のシステム。
【数３】
2010510840.tif 000013
【請求項１５】
T波ピークのピーク度（Peak Curvature）がTピーク内の曲率値の半径（Rcurv）を計算することにより評価され、該曲率の半径は次式により与えられることを特徴とする、請求項１に記載のシステム。
【数４】
2010510840.tif 000014
xはT波幅で正規化された時間スケールであり、yはT波振幅で正規化されたECG信号である。
【請求項１６】
T波の対称性特性が、Tピークの右側におけるT波カーブとTピークの左側におけるT波カーブを比較することにより評価され、左側と右側の該比較は、時間領域のECG信号、信号の一次導関数、信号の二次導関数、又は信号の曲率の半径Rcurvなどのこれらの任意の組み合わせなど、T波の任意の表示において実行されることを特徴とする、請求項１に記載のシステム。
【請求項１７】
Tピークの右側のT波表示がTピークの左側をカバーするために、Tピークを通る垂直線の周りで反転されることを特徴とする、請求項１６に記載のシステム。
【請求項１８】
一次又は二次の導関数が前記数学的解析のために使用され、Tピークの右側のT波表示が、２つの側の間の符号の差異を補償するために、x軸の周りで反転されることを特徴とする、請求項１７に記載のシステム。
【請求項１９】
前記システムが薬の影響に対するECG曲率を解析することを特徴とする、請求項１−１８の少なくとも１つに記載のシステム。
【請求項２０】
前記システムがQT延長症候群に対するECG曲率を解析することを特徴とする、請求項１−１８の少なくとも１つに記載のECG曲率を解析するためのシステム。
【請求項２１】
ECG曲率を解析するための方法であって、該方法は幾つかのパラメータを決定し、該方法は、
ａ：少なくとも１つの出力源から少なくとも１つのECG曲率を受信し、
ｂ：前記受信したECG曲率から決定された幾つかの異なるパラメータを表示し、
ｃ：記憶手段内に前記パラメータを保存し、
ｄ：前記記憶手段内の病気特定パラメータを選択し、
ｅ：少なくとも１つの主グループから第１数のパラメータを選択し、該主グループは対称性、平坦性、持続時間、及び／又は複雑性のパラメータを有し、
ｆ：少なくとも第１の数学的解析において前記選択されたパラメータを組み合わせ、パラメータの前記グループは、対称性（S1−S72）、平坦性（F1−F91）、持続時間（D1−D47）、及び／又は複雑性（C1−C468）を有することを特徴とし、
ｇ：前記数学的解析は前記ECG曲率のセグメントを抽出し、前記セグメントは、決定された心電図ポイント間の間隔に対応し、
ｈ：前記数学的解析はアルゴリズムへの入力として前記セグメントを使用し、
ｉ：前記数学的解析は、基準ポイントアルゴリズムにより前記セグメントにおける基準ポイントを計算し、
ｊ：前記数学的解析は前記ECGセグメントのサブセグメントにおいて凹面間隔を評価し、上向き及び下向き凹面の数量化の基本となり、
ｋ：前記数学的解析はECG曲率の少なくとも１つの凹面を検出し、数量化することにより、心電図異常の兆候を表示する、
ステップを少なくとも有する、方法。
【発明の詳細な説明】
【技術分野】
【０００１】
本発明は、ECG曲率（curvature）の解析のためのシステムと方式に関連し、該システムは数学的解析を含み、該数学的解析は少なくとも以下の特徴を有し、幾つかの異なるパラメータが分離され、コンピュータ手段に蓄積され、該システムは少なくとも１つのECG供給源に接続された入力手段を有し、第１の数のパラメータが少なくとも１つのメイングループから選ばれ、該メイングループは、対称性（symmetry）、平坦性（flatness）、持続時間（duration）、及び／又は複雑性（complexity）のパラメータを有し、選択されたパラメータは少なくとも第１の数学的解析において組み合わされる。
【背景技術】
【０００２】
１つの論文として、「Notched T Waves on Holter Recordings Enhance Detection of Patients With LQT2 (HERG) Mutations（ホルター記録におけるノッチT波がLQT2 (HERG)変異を持つ患者の検出を向上させる）、J.M. Lupoglazoff, MD; I. Denjoy, MD; M. Berthet; N. Neyroud, PhD; L. Demay; P. Richard, PhD; B. Hainque, PhD; G. Vaksmann, MD; D. Klug, MD; A. Leenhardt, MD; G. Maillard, MD; P. Coumel, MD; P. Guicheney, PhD」がある。
【０００３】
心臓のカリウムチャンネルをコード化する2つの遺伝子KCNQ1（LQTl）とHERG（LQT2）は、優性のQT延長症候群（LQTS: long-QT syndrome）の最も一般的な要因である。QT間隔の延長に加え、LQTS患者の表現型マーカーとして、ノッチT波が提案されている。KCNQ1（n5133）又はHERG（n557）変異のキャリア、及び100の対照者（control subjects）のT波の形態が、ホルターECG記録から解析された。平均化されたT波のテンプレートが、異なる周期において得られ、潜在的なノッチT波は、どのような振幅でも、水平における、又は水平より下の隆起の場合には、グレード１（Gl）として分類され、水平より上の突起の場合には、グレード２（G2）として分類された。テンプレートから得られた最高のグレードが、被検者のノッチカテゴリーを定義した。T波の形態は、LQTlの大多数及び対照者において、LQT2と比較し（各々、92%、96%、及び19%、P、0.001）、通常であった。G1ノッチは、LQT2において相対的により頻繁であり（18%に対し8% [LQTl]及び4% [control]、P、0.01）、G2ノッチは、LQT2（63%）においてのみ見られる。G2に対する予知因子（predictor）は、若年齢、ミスセンス変異、及びHERGにおけるコア領域変異である。この研究は、GlとG2のT波ノッチを検出することにおいて、ホルター記録解析が12リードECGより優れているという、新規の証拠を提供する。これらの再分極（repolarization）異常は、最も明確であり、しばしばHERGコア領域ミスセンス変異を反映するG2ノッチにおいて、LQTlに対するLQT2をより示している。(Circulation. 2001; 103:1095-1101.)
【０００４】
更に、「Quantitative Analysis of T Wave Abnormalities and Their Prognostic Implications in the Idiopathic Long QT Syndrome（突発性QT延長症候群におけるT波異常の定量的解析及びその予後）、GABRIELLA MALFATTO, MD,*t GABRIELLA BERIA, MD,*$ SERGIO SALA, MD,*t OSCAR BONAZZI, MD,* PETER J. SCHWARTZ, MD, FACC* $ Milan and Pavia, Italy.」が記述されている。
【０００５】
我々は、突発性QT延長症候群を患う患者のT波（主にノッチ、又は２相のT波）の形態異常の診断と予後値を評価した。QT延長症候群において、T波形態のこれら異常が、しばしば観察され、そして重要性は不明確である。QT延長症候群を伴う53人の患者、並びに同様の年齢及び性別の53人の対照者の心電図（ECG）におけるT波異常が解析され、主な心イベントとそれらの関連が明確にされた。形態の基準に従い、ノッチ、又は２相T波が定義された。それらは、QT延長症候群を伴う53人の患者の33人（62%）、及び53人の対照者の8人（15%）に存在した（p<0.001）。更に、QT延長症候群を伴う患者の間では、それらは、症状がない被検者に比べ、症状を示す被検者（失神、又は心停止の前歴）において、かなり頻繁であった（37の30 [81%]対16の3 [19%]、p < 0.001）。同様の分布はQT延長症候群を持つ家族内で観察され、そこでは症状を示す家族員は、彼らの無症状の兄弟又は親に比べ、より顕著なT波異常を有していた。症状を示す患者において、T波異常の発生は、再分極の長さ（補正されたQT）とは無関係であった。これらT波異常は、異常な左心室壁運動の特定パターンの存在と関連していた。この研究は、QT延長症候群に特有のECGパターンを定量化し、T波異常の形態解析が、QT延長症候群の診察、及び失神又は心停止に対するより高いリスクの患者の識別に寄与できるという最初の証拠を提供する。
【０００６】
更に、論文「T-wave "Humps" as a Potential Electrocardiographic Marker on the Long QT Syndrome（QT延長症候群における潜在的な心電図マーカーとしてのT波「こぶ」）、MICHAEL H. LEHMANN, MD, FACC, FUMIO SUZUKI, MD, BARBARA S. FROMM, MA, DEBRA FRANKOVICH, RN, PAUL ELKO, PhD, * RUSSEL T. STEINMAN, MD, FACC, JULIE FRESARD, RN, t JOHN J. BAGA, MD, R. THOMAS TAGGART PhD*」が記述されている。
【０００７】
この論文は、QT延長症候群を有する家族と対照者の間で、有病率（prevalence）、及びT波のこぶ（初期T波ピーク、T1後のT2）における心電計ECGリード分布を決定すべく試みられた研究を記述している。病気を持つ被検者の診断に役立つであろうレート補正されたQT間隔（QTc）の延長に加えて、T波異常が家族性のQT延長症候群のその他の一面として提案されている。QT延長症候群を有する13家族の254人のメンバー（各々は病気を持つメンバーの2又は4世代である）から、及び2948の健康な対照者（QTC間隔0.39〜0.46 sの8 > 16歳）からのECGが集められ、解析された。持続的QCT間隔を伴う血縁関係の53%、27%及び5%において、T2は存在していた。これらの発見は、QT延長症候群を有する家族において、境界線上のQCT間隔の漸近的な血族間でさえ、左前胸部又は特に跛行の誘導を含むT波のこぶが、QT延長症候群の特徴の存在を示唆しているという仮説と一致している。
【０００８】
論文「Fractionated Repolarization Induced by Sotalol in Healthy Subjects（健康対照者におけるソタロールにより誘発された分割された再分極）、M Vaglio, JP Couderc, X Xia, W Zareba、Heart Research Follow-up-Program University of Rochester Medical Center, Rochester NY, USA」がある。
【０００９】
過去5年にわたって、行政当局は、非心臓薬によって誘発されたQT延長に更に関心を持ってきており、それら薬の開発プログラムにおいて、QT間隔の慎重な評価を含めるよう製薬会社に勧告してきた。安全な薬の評価の研究において、QT延長の予測値についての論争がある。QT間隔の延長は、不完全であるが、容認可能な、薬心毒性の代理マーカーである。この研究において、我々は、心筋の異なる層におけるQT延長薬の不均一な効果が、心臓の再分極を遅らせるだけでなく、体表面（surface）ECG上の再分極波面をかき乱しもすると仮定する。主成分解析（PCA: Principal component analysis）が、L2リードECGホルター記録に適用された。第１の2つの固有ベクトル（eul、eu）が計算された。PCAから、第１の固有ベクトル、及びTループに基づき、幾つかのパラメータが計算された。我々は、より遅い再分極、及び混乱したT波フロントを実証した；ソタロール投与後30分、9.02%増加した再分極速度の混乱、p<0.05、がQT延長に先立ち生じている。これらの異常は、T波の上昇部分に主に位置し、これに対し、この早い局面において、下降部分はあまり影響を受けないようである。結論として、再分極の形態を解析することは、QT測定のみに依存しているときにミスとなりえる、早期の薬物性の再分極変化を特定する助けになる。
【００１０】
上記した４つ論文は、全てECG曲率の手動検出に関する。これら論文内で言及された結果を読み取るためには、何百ものカーブを手動で解析しなければならない。手動の方法は、１人の患者に対する判定には有効であるが、高度な教育を受けた医療専門家のみが曲率を解析することができる。そのようなECG曲率の判定が専門家のみのためにある場合、彼らはECG曲率を解析するためだけに１日の数時間を使わなければならない。疑問となる点は、何時間も曲率を解析した後に、高度に訓練された専門家でさえ、如何に有効的であるかということである。彼らが曲率内の小さい偏差を見過ごす危険は常にある。コンピュータ処理化された曲率により、解析は、はるかに効率的となり、かなり短い期間内に、より多数の曲率を解析することができる。コンピュータシステムが曲率内の偏差を見過ごすことになる危険は少しもない。コンピュータ処理化されたシステムは、曲率内に偏差を持つ患者と通常の曲率を持つ健康な人々の間で、効果的な選択を行うことができる。
【００１１】
EP 1543770は、ECG曲率を解析するためのシステム又は方式に関連し、ここでは幾つかの異なるパラメータの間で少なくとも１つが分離され、このシステムはECG出力源と接続された入力手段を有し、受信したECG曲率の異なるパラメータが表示及び／又は分離され、そして、ECG曲率に影響を与えることが知られている特定の死亡に関係している、又は徴候である可能性のある症状を表示するためのシステム又は方式に関連する。第１数の選択されたパラメータが、少なくとも第１の数学的解析において組み合わされ、解析の結果は少なくとも２つの軸を有する座標システム内のポイントとして表示され、システムは、ECG曲率に影響を与える病気を示すために、システム内に格納された幾つかの参照パラメータと座標システム内の実際の配置を比較することができる。これによって、客観的、及び自動的な方法で、ECG曲率内に表示（影響）を有する病気の何かの徴候を検出することができるようになる。
【００１２】
WO 2005/058156は、ECG曲率及びQT延長症候群における薬の影響を解析するためのシステム又は方式に関連し、ここでは幾つかの異なるパラメータの間で少なくとも１つが分離され、このシステムはECG出力源と接続された入力手段を有し、受信したECG曲率の異なるパラメータが表示及び／又は分離され、そして、ECG曲率に影響を与えることが知られている特定の病気に関係している、又は徴候である可能性のある症状を表示するためのシステム又は方式に関連する。発明のねらいは、ECGカーブから導出可能な幾つかの症状の表示による客観的、早急な、及び効果的な方法で、QT延長症候群を診断するためのシステム及び方式を実現することである。発明の更なるねらいは、ECG曲率への薬の影響の効果的なテストを実現することである。これは、第１数の選択されたパラメータが少なくとも第１の数学的解析において組み合わされるならば、上記したシステムで実現することができ、そこでは、解析の結果は、少なくとも１つの軸を有する座標システム内のポイントとして表示され、システムは、ECG曲率に影響を与える症状又は病気を示すために、システム内に格納された幾つかの参照パラメータと座標システム内の実際の配置を比較することができ、システムはQT延長症候群を示すためにECG曲率のQT曲率を解析する。これによって、ECG曲率内に表示（影響）を有する遺伝性又は後天的なQT延長症候群の何らかの症状を、客観的、自動化された、及び非常に早い方法で検出することができる。
【００１３】
US 2005/0234357は、少なくとも１つの心電図信号を用いて、心臓の再分極異常を検出するための方式と装置に関連する。少なくとも１つの心電図信号は、任意数の連続的、又は非連続的な窓から得られる。この方式は、少なくとも１つの心電図信号の典型的なビートの総量を導出することを有する。少なくとも１つの形態の形状記述子が、典型的なビートの総量を表す値の総量を決定するために使用できる。少なくとも幾つかの値の総量に対応するデータは、心臓の再分極異常を評価するために使用できる。
【００１４】
US 7072708は、心筋梗塞を検出するためのコンピュータシステムにおける方式に関連し、（ａ）ECGデータを受信する、（ｂ）良性のSTデータの存在に対してデータを解析する、並びに（ｃ）STデータが良性でない場合、（１）病理学的しきい値を設定する、（２）ECGデータにおける偏差を正規化する、（３）正規化されたECGデータにパターン解析を適用する、及び（４）パターン解析としきい値に基づき、心筋梗塞の存在を示すスコアを生成する、ステップを有する。
【発明の概要】
【００１５】
特に、ノッチ又は凹面などの曲率の複雑部分に対して、ECG曲率の数学的な解析を改善することが、本発明の目的である。ECG曲率の対称性、平坦性、及び持続時間の自動数量化を改善することが、本発明の更なる目的である。
【００１６】
これは、請求項１の前文に記述されるようなシステムにおいて達成することができ、パラメータが対称性（S1−S72）、平坦性（F1−91）、持続時間（D1−D47）及び／又は複雑性（C1−C468）のグループから選択されるよう更に変更され、ここでは、数学的解析がECG曲率のセグメントを抽出する行為を有し、このセグメントは確定した心電図のポイント間の間隔に対応し、このセグメントはアルゴリズムへの入力として使用され、基準ポイントアルゴリズムがセグメントにおける基準ポイントを自動的に計算し、凹面の間隔がECGセグメントのサブセグメント上で評価され、上方向及び下方向の凹面の数量化の基礎を形成し、アルゴリズムに基づくシステムはECG曲率上の凹面を検出し、数量化する。
【００１７】
これにより、複雑な曲率を解析することができ、そしてこの複雑な曲率は、既存の技術ではECG曲率上で読むことが非常に難しい病気の症状を示すであろう。これは、曲率を解析することにより症状の最初の表示を与える既存のシステムに対し、より正確な解析をもたらすことができる。そして、曲率の複雑な部分の解析を行うことにより、更なる症状が示唆される可能性がある。これは、病気のより正確な判定の方向に導くことができる。これは、ECG曲率のコンピュータ化された解析により、健康な人達に属するとして判定された曲率と病気を有する人達に属するとして判定された曲率の間での、非常に限定された重複をもたらす可能性がある。通常のコンピュータ化された解析において、これらの重複は、解析が行われた比較的多数の人達に関連するかもしれない。ここで、誰が病気を有しているか、誰が健康であるかの明確な判定を行うため、ECG曲率の手動の解析、及び恐らくは更なる医学的解析を実行する必要がある。将来において、ECG曲率上の複雑な偏差に基づく更なる病気の特定症状が発見されるであろう。
【００１８】
ECG再分極信号の少なくとも１つのセグメントが、T波発現とT波消失の間の間隔に対応して選択され、このセグメントは、振幅範囲（y）が選択された間隔内で１と同等になるように正規化される。これにより、T波発現とT波消失の間の曲率の選択された部分が正規化され、カーブの選択された部分において、このカーブの平均値が直線となるであろう。偏差は、単に直線からの偏差を表しているため、読み取ることは簡単である。信号の非常に原始的な増幅によって、直線上のこれら偏差を非常に高い値まで増幅することは非常に簡単であり、小さい偏差さえ見つけることが容易であることが理解されるであろう。
【００１９】
ECG再分極信号の少なくとも１つのセグメントは、T波発現とT波消失の間の間隔に対応して選択され、このセグメントは、持続期間（x）が選択された間隔内で１と同等になるように正規化される。これにより、持続期間が正規化される。これは、任意の偏差を示すことが非常に簡単となるように、持続期間のかなり高い増幅を導き、ここでは小さい偏差でさえ増幅され、このように、時間領域内において、非常に小さい偏差さえ、測定することができる。
【００２０】
ECG再分極セグメントの時間に対する一次及び二次の導関数（derivative）が、 T波発現とT波消失の間の間隔上で決定され、続いて、２つの導関数信号が、方程式１を用いて、曲率半径（Rcurv）の信号を計算するために使用される。
【数１】
2010510840.tif 000003
ここで、xは時間スケールで、yは（ECG）信号である。これにより、曲率の半径の計算が行われる。
【００２１】
任意の２つの再分極の基準ポイント間のRcurv信号上の極大値（LmRcurv）は、ECGの再分極セグメント上の局部下向き凹面の位置を特定するために決定される。これにより、極大値のポイントが、非常に効果的な方法で特定される。
【００２２】
任意の２つの再分極の基準ポイント間のRcurv信号上の極小値は、ECGの再分極セグメント上の局部上向き凹面の位置を特定するために決定される。これにより、極小値のポイントが、非常に効果的な方法で特定される。
【００２３】
T波の頂点（Tpeak）は、Rcurv信号の極大値を典型的に構成する。Rcurv信号は、更なる最大及び最小が存在するかどうかを調査するために、更に解析することができる。極小値の隣に極大値の連続した構成がRcurv信号上に存在する場合、これは、ECG信号のノッチ又はこぶを示している。関連する最大及び最小におけるRcurv信号の値が、ECG信号上のノッチあるいはこぶの大きさを数量化するために評価される。これにより、ECG信号上のノッチ及びこぶを特定し、数量化するための簡単で、ロバストな方法が実現される。
【００２４】
窓は、T波ピーク前の第１の確定した期間において開始し、T波ピーク後の第２の確定した期間において終了するカーブセグメント内で定義でき、この窓内において、曲率はRcurv信号の更なる解析から除外され、零より低い振幅を持つ任意数のLmRcurv信号値が更なる解析から除外され、一定のしきい値より低いECG再分極振幅に時間上で対応する任意数のLmRcurv信号値が更なる解析から除外される。これにより、曲率の特定の範囲は解析から除外される。これら範囲は、恐らく、最も多くのノイズを含む曲率の部分であり、曲率のその部分において、比較的新たな情報を含む。
【００２５】
全参照ポイントの両側のRcurv上の正セグメントの継続期間は、局部下向き凹面の存在の確実性の測量（Cm: certainty measures）を得るために、対応するLmRcurv値の値により乗算される。これにより、下向き凹面は１つの要素を掛けられ、曲率の更なる解析に対しても可視となる。
【００２６】
しきい値（Thr）を超える確実性測量が、凹面間隔が決定され、局部下向き凹面が数量化される付近の位置として定義される。しきい値を使用することにより、非常に小さい下向き凹面を解析から除外することができる。非常に小さい下向き凹面の幾つかは、恐らく、システム内で誘発される電子ノイズの人体内で生成されたノイズから生じるものであるからであるから、これは簡単に実行できる。
【００２７】
しきい値（Thr）を超える確実性測量が存在しなく、ここでは、第１のサブセグメントが２つの区分的な傾斜したセグメントにより生成され、第１の傾斜サブセグメント（T1tilt）が、T波発現とT波ピーク間の再分極間隔により与えられ、ここから２つの最終点間の線形関数が引かれ、第２の傾斜サブセグメント（T2tilt）がT波ピークとT波消失間の再分極間隔により与えられ、ここから２つの最終点間の線形関数が引かれる。
【００２８】
上向き凹面のスコア（score）が計算され、どちらか一方の区分的な再分極サブセグメント上の最小の負の極大値が初期の上向き凹面スコア（IuS）として使用され、任意の確実性測量が確実的なしきい値と等しい時、スコアは零の最終的な上向き凹面スコア（CuS）を得るために補正され、除外基準ステップの後、LmRcurvポイントが残らない時、最終CuSスコアはIuSと等しくなり、この関係は方程式３により与えられる。
【数２】
2010510840.tif 000004
これにより、上向き凹面が測定される。
【００２９】
サブセグメントは、２つの区分的な傾斜セグメントにより生成され、第１の傾斜サブセグメントは、T波発現とT波ピーク間の再分極間隔により与えられ、ここから２つの最終点間の線形関数が引かれ、第２の傾斜サブセグメントは、T波ピークとT波消失間の再分極間隔により与えられ、ここから２つの最終点間の線形関数が引かれる。開始点と頂上点間の直線関係を取り去ることにより、上方向及び下方向カーブにおける直線関係から全ての偏差が増幅され、それらの検出が非常に容易となる。
【００３０】
両方の傾斜したサブセグメント及び全ての凹面間隔が評価され、凹面間隔内の傾斜したサブセグメント上の最大値（T1tiltmax）及び（T2tiltmax）が決定され、全体の最大値は、方程式２により与えられるECG再分極セグメントの最終的な凹面の下向きスコア（CdS）である。
【数３】
2010510840.tif 000005
これにより、凹面の高度に効果的な測定が実現され、ECG曲率の手動検査と比較し、病気又は薬の影響の更なる指標となる。
【００３１】
Ｔ波ピークの先鋭度（Peak Curvature）が、Tピーク内の曲率値の半径（Rcurv）を計算することにより評価され、この曲率の半径は次で与えられる。
【数４】
2010510840.tif 000006
ここで、xはT波幅で正規化された時間スケール、yはT波振幅で正規化されたECG信号である。これにより、T波のピークの曲率が効果的な方法で計算される。
【００３２】
T波の対称特性は、Tピークの右側のT波カーブとTピークの左側のT波カーブを比較することにより評価され、左と右側のこの比較は、時間領域ECG信号、信号の一次導関数、信号の二次導関数、又は信号の曲率の半径Rcurvなど、これらの何れかの組み合わせなど、T波の任意の表示において実行される。これにより、対称性に対する非常に効果的な測定が実現される。
【００３３】
Tピークの右側のT波表示は、Tピークの左側をカバーするために、Tピークを通る垂直線を中心に反転される。このように、対称性を測定するために、非常に簡単な数学的な計算が実行できる。
【００３４】
一次又は二次の導関数が数学的解析に対し使用され、２つの側の間の符号差異を相殺するために、Tピークの右側のT波表示がx軸を中心に反転される。これにより、非常に効果的な数学的解析が実現される。
【００３５】
好ましくは、システムは薬の影響に対するECG曲率を解析できる。薬は、しばしばECG曲率に影響を与える。薬を解析するために、薬に対する新たな形式をテストすることによる陰性の兆候を示すために、ECG曲率の複雑な部分についても解析を用いることが非常に効果的となる。
【００３６】
システムは、QT延長症候群に対するECG曲率を解析できる。本特許出願内で記述されるシステムは、QT延長症候群に対する多くの試験者を非常に効果的に調査することができる。特に、QTの変化と共に、曲率内の複雑な変更も生じるため、本システムを用いた解析は非常に有効である。
【００３７】
本発明は、更にECG曲率の解析のための方法に関連し、該方法は幾つかのパラメータを決定し、ECG曲率を解析するための本方法は、少なくとも１つの出力源から少なくとも１つのECG曲率を受信するステップ、受信したECG曲率から決定される幾つかの異なるパラメータを表示するステップ、蓄積手段内にパラメータを格納するステップ、蓄積手段内の病気特定パラメータを選択するステップ、少なくとも１つの主グループから第１数のパラメータを選択するステップ、この主グループは対称性、平坦性、持続時間、及び／又は複雑性のパラメータを有し、少なくとも第１の数学的解析において選択されたパラメータを組み合わせるステップを少なくとも包含し、数学的解析はECG曲率のセグメントを抽出し、セグメントは確定された心電図のポイント間の間隔に対応し、数学的解析は、基準ポイントアルゴリズムにより、アルゴリズムへの入力がセグメントにおける基準ポイント計算するときにセグメントを使用し、数学的解析は、少なくとも１つの選択されたパラメータに関連して確定された心電図のポイント間の間隔に対応するECG曲率のセグメントを正規化し、数学的解析はECGセグメントのサブセグメント上の凹面間隔を評価し、上向き及び下向き凹面の数量化の基礎を形成し、数学的解析はECG曲率の少なくとも１つの凹面の検出及び数量化により、心電図異常の兆候を示す。
【００３８】
本方法は、ECG曲率の非常に効果的な自動解析をもたらす。ECG曲率の解析後、システムは同等のECG結果を有するデータベースと通信し、曲率の新たな検査が曲率の多数の先の検査と比較できる。この様に、曲率の兆候が、患者に対して、簡単に検出でき、特定の病気と関連付けることができる。また、薬テストにおいても、本方法は非常に効果的である。幾つかの種類の薬はECG曲率に影響を与えるが、この影響は曲率内の非常に小さい偏差のみから成る。これらの非常に小さい偏差は既知のシステムでは測定されない。本方法を使用することにより、曲率の複雑部分の解析が可能である。
【図面の簡単な説明】
【００３９】
【図１】アルゴリズムのフローダイアグラム
【図２】Jポイント+80msから次のP波発現までの正規化されたECGセグメント。基準ポイントのT波発現、T波ピーク、及びT波消失が垂直の破線により示されている。
【図３】赤の＋マークで示された曲率信号の半径（Rcurv）上の極大値（LmRcurv）。Rcurv上のT波ピーク窓内の値は１に等しくなるよう設定され、更なる解析に対し使用されない。
【図４】赤の脚で示された下向き凹面の確実性測量（Cm）
【図５】二次導関数信号上の極大値間の間隔の全ての組み合わせにより与えられる確実性測量付近の凹面間隔を示す。
【図６】傾斜したサブセグメントT1tilt及びT2tilt
【図７】最終の最大下向き凹面間隔。下向き凹面スコア（CdS）は傾斜線とT波の間の最大差分により与えられる。
【図８】心電計リードV5に対する凹面スコア
【図９】下に凹の曲率セグメント
【図１０】下に凹の曲率セグメント
【図１１】下に凹の曲率セグメント
【図１２】下に凹の曲率セグメント
【図１３】下に凹の曲率セグメント
【図１４】下に凹の曲率セグメント
【図１５】下に凹の曲率セグメント
【図１６】下に凹の曲率セグメント
【図１７】下に凹の曲率セグメント
【図１８】下に凹の曲率セグメント
【図１９】下に凹の曲率セグメント
【図２０】ノッチのスコアがT波上の任意の可視のノッチの大きさを反映することを示す。
【発明を実施するための形態】
【００４０】
1.1  ECG曲率の形態を数量化するためのパラメータ
QT延長症候群は、異常な心臓再分極により特徴付けられた遺伝性疾患である。先天性のLQTSにおいて、KvLQTl-及びHERG遺伝子の変異は、全てのLQTS患者の90%より多い割合を占める。
【００４１】
再分極の異常はECGカーブに反映され、そこでは、T波の形態は異なるLQT変異に関して変化する。研究は、T波形態のパラメータが有益な識別子であることを示しているが、単一のパラメータで十分であるとは示していない。しかし、T波の対称性、平坦性、持続間隔、及び複雑性のパラメータの組み合わせに基づいた多変量識別方式は、強力な道具であることが示されている。
【００４２】
様々な薬は、ECGカーブに影響を与え、HERG遺伝子の変異を持つLQT患者に見られるように、しばしば同じ様にT波形態が変化する。このために、市場導入前の薬試験において、形態の変化を数量化することは、市場に出荷するかどうかを決定をするための貴重な情報を与えるであろう。
【００４３】
グループ内の形態パラメータ、対称性、平坦性、持続時間、及び複雑性は、単一パラメータとして、そして特に、多変量識別方式において組み合わされたものの両方において、これら形態の変化についての貴重な情報を与える。
【００４４】
HERG遺伝子の変異を有する患者は、健康な対照者に比べ、T波の上向き、及び／又は下向きスロープ上に、より大きな凸面パターンをしばしば有する。時々、HERG患者のECGは、T波の上向き又は下向きスロープ上に明白なノッチを示す。
【００４５】
複雑性と呼ばれるパラメータのグループは、曲率内のこれら複雑なパターンを測定するパラメータのi.aを有する。
【００４６】
即ち、上向き及び下向きスロープ各々の凹面対凸面を記述する測定を意味する。これは、上向き又は下向きスロープのカーブパターンの全体的な測定のようである。
【００４７】
更に、複雑性は、でこぼこさ／ノッチ度合い、又は明白なノッチでもあり、それはカーブパターン上のより局部的な凹面又は凸面である。
【００４８】
以下では、パラメータの数学的な記述が与えられ、これは、全体的であるか局所的であるかに関わらず、これらの凹面及び凸面を測定する。
【００４９】
1.2  図１はECG上の再分極凹面の検出及び数量化のためのアルゴリズムのフローダイアグラムを示す
再分極の間、ECG曲率は上に凹面、若しくは下に凹面となり、又は２つの形式の凹面の間で変化するかもしれない。再分極の間、ECGの上のこれら２つの形式の凹面を検出し、数量化するために、１つのアルゴリズムが開発された。
【００５０】
任意の１つの心電計リード、又は混成のリードからの心電計T波全体を最小として含む再分極プロセスのECGセグメントが、アルゴリズムへの入力として使用できる。また、T波発現、T波ピーク、T波消失、及びその他の再分極基準ポイントなどの再分極基準ポイントの定義は、何かの既存の基準ポイント検出アルゴリズムにより与えられる、又は再分極基準ポイントは、手動により決定することができる。
【００５１】
任意の２つの基準ポイント間の振幅範囲（y）が１と等しくなるような方法で、アルゴリズムはECG再分極セグメントを正規化できる。任意の２つの再分極基準ポイント間の持続時間（x）が１と等しくなるような方法で、アルゴリズムは、更にECG再分極セグメントの持続時間を正規化できる。
【００５２】
ECG再分極セグメントの一次及び二次導関数が決定され、両方の導関数測定は、任意の２つの再分極基準ポイント間の曲率の半径（Rcurv）信号を計算するために使用される。Rcurv信号は次のように得られる。
【数５】
2010510840.tif 000007
【００５３】
任意の２つの再分極基準ポイント間のRcurv信号上の極大値（LmRcurv）を決定することができる。T波ピークの特定の定義付近の変動する持続時間の窓内の任意数の極大値が、Rcurv信号の更なる解析から除外できる。零より低い振幅を有する任意数のLmRcurv信号値は、更なる解析から除外できる。特定のしきい値より低いECG再分極振幅に時間的に対応する、任意数のLmRcurv信号値は、更なる解析から除外できる。
【００５４】
更なる解析から除外されなかった全てのLmRcurv値は、ECGの再分極セグメント上の局部下向き凹面の位置を特定するために使用される。続いて、局部下向き凹面の特定された位置は、ECGの再分極セグメント上の局部下向き凹面の数量化のための基礎とできる。
【００５５】
ECG再分極セグメント上の下向き凹面の広がりは、局部下向き凹面の特定された位置において、又は特定された局部下向き凹面の位置付近の間隔内で評価される。
【００５６】
より長いECG再分極セグメントの区分的な傾斜したサブセグメントが、局部下向き凹面の測量を得るために使用される。より長いECG再分極セグメントの区分的な傾斜したサブセグメントは、局部上向き凹面の測量を得るためにも使用できる。ECG再分極セグメント上の全ての局部下向き凹面及び局部上向き凹面の広がりは、そのECG再分極セグメントに対する凹面の最終的な全体の数量的測定を得るために使用される。
【００５７】
アルゴリズムのフローダイアグラムが図１で与えられる。
【００５８】
1.3  適用例：ECG上の再分極凹面の検出と数量化
心電計J-point+80msと次の心電計P波発現の間の間隔に対応する再分極プロセスのECGセグメントが抽出され、アルゴリズムへの入力として使用される。
【００５９】
T波発現、T波ピーク、及びT波消失の基準ポイントが、既存の基準ポイント検出アルゴリズムにより、自動的に決定される。
【００６０】
振幅範囲（y）がその間隔内で１に等しくなるように、T波発現とT波消失の間の間隔に対応するECG再分極信号のセグメントが正規化される。持続時間（x）がその間隔内で１に等しくなるように、T波発現とT波消失の間の間隔に対応するECG再分極信号のセグメントが正規化される、図２。
【００６１】
ECG再分極セグメントの一次及び二次導関数が、T波発現とT波消失の間の間隔上で決定される。続いて、２つの導関数信号が、方程式１を用いて、曲率の半径（Rcurv）信号を計算するために使用される。本発明の１つの実施例において、T波発現（Tonset）とT波消失（Toffset）間のRcurv信号上の極大値及び極小値が決定される。T波のピーク（Tpeak）は、Rcurv信号の極大値を典型的に構成する。信号は、更なる最大及び最小が存在するかどうかを調査するために更に解析される。Rcurv信号上の何かの偏向は、T波の通常の、円滑な進行からの偏差に対応する。Rcurv信号は、１の最大振幅を得るために正規化される。ノッチ又はこぶは、Rcurv信号上の連続的な正−負の組として反映され、そしてそのような組が存在する時、ノッチスコアがこの組の正のピーク値として定義される。ノッチが存在しない場合、スコアは0となる。
【００６２】
本発明におけるその他の実施例において、T波ピーク周辺で対称な窓内のLmRcurvポイントを除いて、T波発現とT波消失の間のRcurv信号上の極大値（LmRcurv）が決定される。窓の幅は、T波ピークのどちらか一方の側においてTピーク値の95%までのT波振幅の戻りの最大持続時間の２倍、又は20msの、どちらか小さい方に設定される。正規化された再分極セグメントの最大値の40%より低いECG再分極振幅に時間的に対応するLmRcurvポイントと同様に、零より低い値を持つLmRcurvポイントも除外される、図３。
【００６３】
上で与えられた基準に従い除外した後に残ったLmRcurvポイントが参照ポイントである。局部下向き凹面の存在の確実性の測量（Cm）を得るために、全参照ポイントのどちらか一方の側のRcurv上の正セグメントの持続時間が、対応するLmRcurv値の値で乗算される。しきい値15（Thr15）を超える確実性測量が、凹面間隔が決定され、局部下向き凹面が数量化される周辺の位置として決定される、図４。
【００６４】
Thr15を超える確実性測量周辺の凹面間隔は、二次導関数信号上の極大値間の間隔の全ての組み合わせにより与えられる、図５。
【００６５】
確実性測量が二次導関数信号上の２つの極大値間に位置しない場合、T波発現、T波消失、又はT波ピーク窓外の第１ポイントを用いて、更なる凹面間隔の組み合わせが作成される。
【００６６】
凹面間隔はECG再分極セグメントのサブセグメント上で評価され、下向き凹面の数量化の基礎を形成する。２つの区分化した傾斜セグメントがサブセグメントを構成する。１つの傾斜したサブセグメント（T1tilt）は、T波発現とT波ピーク間の再分極間隔により与えられ、ここから２つの終了ポイント間の線形関数が引かれる。その他の傾斜したサブセグメント（T2tilt）は、T波ピークとT波消失間の再分極間隔により与えられ、ここから２つの終了ポイント間の線形関数が引かれる、図６。
【００６７】
両方の傾斜したサブセグメント上で、図５に示される全ての凹面間隔が評価され、凹面間隔内の傾斜したサブセグメント上の最大値（T1tiltmax）及び（T2tiltmax）が決定される。全体の最大値は、方程式２で与えられ、図７で示されるECG再分極セグメントの最終的な下向き凹面スコア（CdS）である。
【数６】
2010510840.tif 000008
【００６８】
LmRcurvポイントが存在しない再分極セグメントにおいて、又は除外基準後にLmRcurvポイントが残らない場合、上向き凹面のスコアが計算される。区分的な再分極サブセグメントのどちらか一方における最小の負の極大値が、初期の上向き凹面スコア（IuS）として使用される。この時、任意の確実性測量が確実的しきい値と等しい場合、零の最終の上向き凹面スコア（CuS）が得られるように、このスコアが更正され、及び除外基準ステップ後にLmRcurvポイントが残らない場合、最終のCuSスコアはIuSに等しくなる。この関係は、方程式３により与えられる。
【数７】
2010510840.tif 000009
【００６９】
全ての正の凹面スコアは、ECG再分極信号上に凹面下向き曲率の存在を示す。正のCdS値の大きさは、ECG再分極セグメント上の下向き凹面の広がりを反映する。全ての負の凹面スコアは、重大な下向き凹面セグメントがECG再分極セグメント上で特定されなかったことを示す。負のCuS値の大きさは、ECG再分極セグメント上の上向き凹面の広がりを反映する。
【００７０】
上記した方式は、検証された健康な通常対照者から1093 ECG再分極セグメント、及びHERG遺伝子上の変異を持つ遺伝子型先天性のQT延長症候群の対象者から117 ECG再分極セグメントにおける凹面のスコアを得るために使用された。標準のV5リードに対する凹面スコアは図８で与えられる。リードV5に対する特異性及び感度は、それぞれ93.6%、89.4%であった。混合リードを用いた特異性及び感度は、それぞれ95.8%、83.8%であった。本方式は、複数のアプリケーションエリアを有し、QT延長症候群の獲得した形式において、及びその他の心電図の再分極異常を持つ患者において、再分極凹面を検出し、数量化するために使用することもできる。
【００７１】
図９−１８は、本アルゴリズムにより検出、及び数量化された様々な凹面下向き曲率の例を示す。
【００７２】
図１９は、非対称のスコアが、スローププロファイルの違い、並びにT波の上昇及び下降部分の継続時間を評価したものである。１つの実施例において、フィルターに通されたT波の一次導関数が計算され、上昇及び下降するT波に対応する２つのセグメントに分割される。両セグメントは、各セグメント内の一次導関数の最大振幅で正規化される。そして、下降するT波のセグメントが、上昇するセグメントをカバーするためにY軸とX軸に対して反転される。セグメントはサンプル毎に比較され、非対称スコアは２つのセグメント間での平均の残差である。
【００７３】
図２０は、ノッチスコアがT波上の任意の可視のノッチのサイズを反映することを示す。１つの実施例において、スコアはT波の逆の符号付きの曲率の半径（Rcurv）から得られる。この信号上の何かの偏向は、T波の通常の円滑な進行からの偏差に相当する。Rcurv信号は、１の最大振幅を得るために正規化される。真のノッチは、Rcurv信号上の上下のペアとして反映され、そのようなペアが存在する場合、ノッチスコアはこのペアの正のピーク値として決定される。ノッチが存在しない場合、スコアは0となる。
【００７４】
1.4  ピーク曲率
T波ピークの先鋭度（Peak Curvature）が、Tピーク内の曲率の半径値（Rcurv）を計算することにより評価される。
【００７５】
曲率の半径は次で与えられる。
【数８】
2010510840.tif 000010
ここで、xはT波幅で正規化された時間スケールであり、yはT波振幅で正規化されたECG信号である。
【００７６】
1.5  対称性残差
T波の対称特性が、Tピークの右側のT波カーブをTピークの左側のT波カーブと比較することにより評価される。
【００７７】
左側と右側の比較は、時間領域のECG信号、信号の一次導関数、信号の二次導関数、又は信号の曲率の半径（上記したRcurv）などの任意の組み合わせなど、T波の任意の表示上で行われる。
【００７８】
Tピークの右側のT波表示は、Tピークの左側をカバーするために、Tピークを通る垂直線の周りで反転される。一次又は二次の導関数が使われる場合、Tピークの右側のT波表示は、２つの側の間の符号差異を補償するためにx軸の周りで反転される。
【００７９】
２つの表示（左側、及び反転された右側）の長さが異なるならば、共通の長さに対して各側を再サンプルすること、又は一方の長さに合うよう短い側にゼロパッドを入れることのどちらか一方により、これは補正される。
【００８０】
比較に先立ち、より良い適合を与えるために、２つの表示は、それらのそれぞれの振幅で正規化することができる。
【００８１】
ここで、２つの表示はサンプル毎に比較される。残差は、２つの表示間のサンプル毎の差異の合計を評価することにより計算される。差異は、合計する前に絶対化又は２乗にすることができる。
【００８２】
残差の総計は、T波の対称性の信頼できる測定である。
【００８３】
1.6  パラメータ記述
対称性
S1    対称的な区間内で評価された非対称度（skewness）、Tstart−Tend区間の30％、Tpeakを平均としたTpeak周囲
S2    対称的な区間内で評価された非対称度、Tstart−Tend区間の40％、Tpeakを平均としたTpeak周囲
S3    対称的な区間内で評価された非対称度、Tstart−Tend区間の50％、Tpeakを平均としたTpeak周囲
S4    対称的な区間内で評価された非対称度、Tstart−Tend区間の60％、Tpeakを平均としたTpeak周囲
S5    対称的な区間内で評価された非対称度、Tstart−Tend区間の70％、Tpeakを平均としたTpeak周囲
S6    対称的な区間内で評価された非対称度、Tstart−Tend区間の80％、Tpeakを平均としたTpeak周囲
S7    対称的な区間内で評価された非対称度、Tstart−Tend区間の90％、Tpeakを平均としたTpeak周囲
S8    対称的な区間内で評価された非対称度、Tstart−Tend区間の100％、Tpeakを平均としたTpeak周囲
S9    TstartからTendまでに評価された非対称度
S10   対称的な区間内で評価された非対称度、Tstart−Tend区間の10％、重心（CoM: Center of Mass）周囲
S11   対称的な区間内で評価された非対称度、Tstart−Tend区間の20％、重心（CoM）周囲
S12   対称的な区間内で評価された非対称度、Tstart−Tend区間の30％、重心（CoM）周囲
S13   対称的な区間内で評価された非対称度、Tstart−Tend区間の40％、重心（CoM）周囲
S14   対称的な区間内で評価された非対称度、Tstart−Tend区間の50％、重心（CoM）周囲
S15   対称的な区間内で評価された非対称度、Tstart−Tend区間の60％、重心（CoM）周囲
S16   対称的な区間内で評価された非対称度、Tstart−Tend区間の70％、重心（CoM）周囲
S17   対称的な区間内で評価された非対称度、Tstart−Tend区間の80％、重心（CoM）周囲
S18   対称的な区間内で評価された非対称度、Tstart−Tend区間の90％、重心（CoM）周囲
S19   対称的な区間内で評価された非対称度、Tstart−Tend区間の100％、重心（CoM）周囲
S20   非対称的な区間内で評価された非対称度、jポイントからTendまでのエリアの2%におけるTstart、及び該エリアの98%におけるTendを伴う
S21   非対称的な区間内で評価された非対称度、jポイントからTendまでのエリアの5%におけるTstart、及び該エリアの95%におけるTendを伴う
S22   非対称的な区間内で評価された非対称度、jポイントからTpeakまでのエリアの2%におけるTstart、及びTpeakからTendまでのエリアの98%におけるTendを伴う
S23   非対称的な区間内で評価された非対称度、jポイントからTpeakまでのエリアの5%におけるTstart、及びTpeakからTendまでのエリアの95%におけるTendを伴う
S24   非対称的な区間内で評価された非対称度、jポイントからCoMまでのエリアの2%におけるTstart、及びCoMからTendまでのエリアの98%におけるTendを伴う
S25   非対称的な区間内で評価された非対称度、jポイントからCoMまでのエリアの5%におけるTstart、及びCoMからTendまでのエリアの95%におけるTendを伴う
S26   非対称的な区間内で評価された非対称度、重心（CoM）の左側においてTstart−TCoM区間の10%、及び右側においてTCoM−Tend区間の10%からなる
S27   非対称的な区間内で評価された非対称度、重心（CoM）の左側においてTstart−TCoM区間の20%、及び右側においてTCoM−Tend区間の20%からなる
S28   非対称的な区間内で評価された非対称度、重心（CoM）の左側においてTstart−TCoM区間の30%、及び右側においてTCoM−Tend区間の30%からなる
S29   非対称的な区間内で評価された非対称度、重心（CoM）の左側においてTstart−TCoM区間の40%、及び右側においてTCoM−Tend区間の40%からなる
S30   非対称的な区間内で評価された非対称度、重心（CoM）の左側においてTstart−TCoM区間の50%、及び右側においてTCoM−Tend区間の50%からなる
S31   非対称的な区間内で評価された非対称度、重心（CoM）の左側においてTstart−TCoM区間の60%、及び右側においてTCoM−Tend区間の60%からなる
S32   非対称的な区間内で評価された非対称度、重心（CoM）の左側においてTstart−TCoM区間の70%、及び右側においてTCoM−Tend区間の70%からなる
S33   非対称的な区間内で評価された非対称度、重心（CoM）の左側においてTstart−TCoM区間の80%、及び右側においてTCoM−Tend区間の80%からなる
S34   非対称的な区間内で評価された非対称度、重心（CoM）の左側においてTstart−TCoM区間の80%、及び右側においてTCoM−Tend区間の90%からなる
S35   非対称的な区間内で評価された非対称度、重心（CoM）の左側においてTstart−TCoM区間の100%、及び右側においてTCoM−Tend区間の100%からなる
S36   非対称的な区間内で評価された非対称度、Tpeakの左側においてTstart−Tpeak区間の10%、及び右側においてTpeak−Tend区間の10%からなる
S37   非対称的な区間内で評価された非対称度、Tpeakの左側においてTstart−Tpeak区間の20%、及び右側においてTpeak−Tend区間の20%からなる
S38   非対称的な区間内で評価された非対称度、Tpeakの左側においてTstart−Tpeak区間の30%、及び右側においてTpeak−Tend区間の30%からなる
S39   非対称的な区間内で評価された非対称度、Tpeakの左側においてTstart−Tpeak区間の40%、及び右側においてTpeak−Tend区間の40%からなる
S40   非対称的な区間内で評価された非対称度、Tpeakの左側においてTstart−Tpeak区間の50%、及び右側においてTpeak−Tend区間の50%からなる
S41   非対称的な区間内で評価された非対称度、Tpeakの左側においてTstart−Tpeak区間の60%、及び右側においてTpeak−Tend区間の60%からなる
S42   非対称的な区間内で評価された非対称度、Tpeakの左側においてTstart−Tpeak区間の70%、及び右側においてTpeak−Tend区間の70%からなる
S43   非対称的な区間内で評価された非対称度、Tpeakの左側においてTstart−Tpeak区間の80%、及び右側においてTpeak−Tend区間の80%からなる
S44   非対称的な区間内で評価された非対称度、Tpeakの左側においてTstart−Tpeak区間の90%、及び右側においてTpeak−Tend区間の90%からなる
S45   非対称的な区間内で評価された非対称度、Tpeakの左側においてTstart−Tpeak区間の100%、及び右側においてTpeak−Tend区間の100%からなる
S46   対称性パラメータ、S1−S45、QRS振幅の大きさにより正規化
S47   TstartからTendまでの区間内で計算されたT波の領域
S48   対称性パラメータ、S47、QRS振幅の大きさにより正規化
S49   TpeakからTendまでの区間内で計算されたT波の領域
S50   対称性パラメータ、S49、QRS振幅の大きさにより正規化
S51   TstartからTpeakまでの区間内で計算されたT波の領域
S52   対称性パラメータ、S51、QRS振幅の大きさにより正規化
S53   TstartからTpeakまでの区間内で計算された領域とTpeakからTendまでの区間内で計算された領域の比
S54   T波の総領域と底部（tail）領域の比、ここでTstart−Tpeak持続時間 ＞ Tpeak−Tend持続時間の場合における底部領域はTstartからTpeak−(Tend−Tpeak)までの区間内の領域であり、逆も同様
S55   T波部分の対称性残差、それぞれTstart−Tpeak及びTpeak−Tendから
S56   T波部分の一次導関数の対称性残差、それぞれTstart−Tpeak及びTpeak−Tendから
S57   T波部分の二次導関数の対称性残差、それぞれTstart−Tpeak及びTpeak−Tendから
S58   対称性パラメータ、S55、区間Tstart−Tpeak及びTpeak−Tendの両方を再サンプリングすることにより正規化する
S59   対称性パラメータ、S55、短い持続時間を有する区間をゼロ詰めすることにより区間Tstart−Tpeak及びTpeak−Tendを正規化する
S60   対称性パラメータ、S56、区間Tstart−Tpeak及びTpeak−Tendの両方を再サンプリングすることにより正規化する
S61   対称性パラメータ、S56、短い持続時間を有する区間をゼロ詰めすることにより区間Tstart−Tpeak及びTpeak−Tendを正規化する
S62   対称性パラメータ、S57、区間Tstart−Tpeak及びTpeak−Tendの両方を再サンプリングすることにより正規化する
S63   対称性パラメータ、S57、短い持続時間を有する区間をゼロ詰めすることにより区間Tstart−Tpeak及びTpeak−Tendを正規化する
S64   対称性パラメータ、S55、それらそれぞれの振幅より正規化
S65   対称性パラメータ、S56、それらそれぞれの振幅より正規化
S66   対称性パラメータ、S57、それらそれぞれの振幅より正規化
S67   対称性パラメータ、S58、それらそれぞれの振幅より正規化
S68   対称性パラメータ、S59、それらそれぞれの振幅より正規化
S69   対称性パラメータ、S60、それらそれぞれの振幅より正規化
S70   対称性パラメータ、S61、それらそれぞれの振幅より正規化
S71   対称性パラメータ、S62、それらそれぞれの振幅より正規化
S72   対称性パラメータ、S63、それらそれぞれの振幅より正規化
【００８４】
平坦性
F1    Tpeak周囲のTstart−Tend区間の30%の対称的な区間内で評価されたTpeakを平均とする平坦性
F2    平坦性パラメータ、F1、QRS振幅の大きさにより正規化
F3    Tpeak周囲のTstart−Tend区間の40%の対称的な区間内で評価されたTpeakを平均とする平坦性
F4    平坦性パラメータ、F3、QRS振幅の大きさにより正規化
F5    Tpeak周囲のTstart−Tend区間の50%の対称的な区間内で評価されたTpeakを平均とする平坦性
F6    平坦性パラメータ、F5、QRS振幅の大きさにより正規化
F7    Tpeak周囲のTstart−Tend区間の60%の対称的な区間内で評価されたTpeakを平均とする平坦性
F8    平坦性パラメータ、F7、QRS振幅の大きさにより正規化
F9    Tpeak周囲のTstart−Tend区間の70%の対称的な区間内で評価されたTpeakを平均とする平坦性
F10   平坦性パラメータ、F9、QRS振幅の大きさにより正規化
F11   Tpeak周囲のTstart−Tend区間の80%の対称的な区間内で評価されたTpeakを平均とする平坦性
F12   平坦性パラメータ、F11、QRS振幅の大きさにより正規化
F13   Tpeak周囲のTstart−Tend区間の90%の対称的な区間内で評価されたTpeakを平均とする平坦性
F14   平坦性パラメータ、F13、QRS振幅の大きさにより正規化
F15   Tpeak周囲のTstart−Tend区間の100%の対称的な区間内で評価されたTpeakを平均とする平坦性
F16   平坦性パラメータ、F15、QRS振幅の大きさにより正規化
F17   TstartからTend区までのTpeakを平均とする平坦性
F18   平坦性パラメータ、F17、QRS振幅の大きさにより正規化
F19   重心（CoM）を周囲とするTstart−Tend区間の10％の対称的な区間内で評価された平坦性
F20   平坦性パラメータ、F19、QRS振幅の大きさにより正規化
F21   重心（CoM）を周囲とするTstart−Tend区間の20％の対称的な区間内で評価された平坦性
F22   平坦性パラメータ、F21、QRS振幅の大きさにより正規化
F23   重心（CoM）を周囲とするTstart−Tend区間の30％の対称的な区間内で評価された平坦性
F24   平坦性パラメータ、F23、QRS振幅の大きさにより正規化
F25   重心（CoM）を周囲とするTstart−Tend区間の40％の対称的な区間内で評価された平坦性
F26   平坦性パラメータ、F25、QRS振幅の大きさにより正規化
F27   重心（CoM）を周囲とするTstart−Tend区間の50％の対称的な区間内で評価された平坦性
F28   平坦性パラメータ、F27、QRS振幅の大きさにより正規化
F29   重心（CoM）を周囲とするTstart−Tend区間の60％の対称的な区間内で評価された平坦性
F30   平坦性パラメータ、F29、QRS振幅の大きさにより正規化
F31   重心（CoM）を周囲とするTstart−Tend区間の70％の対称的な区間内で評価された平坦性
F32   平坦性パラメータ、F31、QRS振幅の大きさにより正規化
F33   重心（CoM）を周囲とするTstart−Tend区間の80％の対称的な区間内で評価された平坦性
F34   平坦性パラメータ、F33、QRS振幅の大きさにより正規化
F35   重心（CoM）を周囲とするTstart−Tend区間の90％の対称的な区間内で評価された平坦性
F36   平坦性パラメータ、F35、QRS振幅の大きさにより正規化
F37   重心（CoM）を周囲とするTstart−Tend区間の100％の対称的な区間内で評価された平坦性
F38   平坦性パラメータ、F37、QRS振幅の大きさにより正規化
F39   非対称的な区間内で評価された平坦性、Tpeakの左側においてTstart−Tpeak区間の10%、及び右側においてTpeak−Tend区間の10%からなる
F40   平坦性パラメータ、F39、QRS振幅の大きさにより正規化
F41   非対称的な区間内で評価された平坦性、Tpeakの左側においてTstart−Tpeak区間の20%、及び右側においてTpeak−Tend区間の20%からなる
F42   平坦性パラメータ、F41、QRS振幅の大きさにより正規化
F43   非対称的な区間内で評価された平坦性、Tpeakの左側においてTstart−Tpeak区間の30%、及び右側においてTpeak−Tend区間の30%からなる
F44   平坦性パラメータ、F43、QRS振幅の大きさにより正規化
F45   非対称的な区間内で評価された平坦性、Tpeakの左側においてTstart−Tpeak区間の40%、及び右側においてTpeak−Tend区間の40%からなる
F46   平坦性パラメータ、F45、QRS振幅の大きさにより正規化
F47   非対称的な区間内で評価された平坦性、Tpeakの左側においてTstart−Tpeak区間の50%、及び右側においてTpeak−Tend区間の50%からなる
F48   平坦性パラメータ、F47、QRS振幅の大きさにより正規化
F49   非対称的な区間内で評価された平坦性、Tpeakの左側においてTstart−Tpeak区間の60%、及び右側においてTpeak−Tend区間の60%からなる
F50   平坦性パラメータ、F49、QRS振幅の大きさにより正規化
F51   非対称的な区間内で評価された平坦性、Tpeakの左側においてTstart−Tpeak区間の70%、及び右側においてTpeak−Tend区間の70%からなる
F52   平坦性パラメータ、F51、QRS振幅の大きさにより正規化
F53   非対称的な区間内で評価された平坦性、Tpeakの左側においてTstart−Tpeak区間の80%、及び右側においてTpeak−Tend区間の80%からなる
F54   平坦性パラメータ、F53、QRS振幅の大きさにより正規化
F55   非対称的な区間内で評価された平坦性、Tpeakの左側においてTstart−Tpeak区間の90%、及び右側においてTpeak−Tend区間の90%からなる
F56   平坦性パラメータ、F55、QRS振幅の大きさにより正規化
F57   非対称的な区間内で評価された平坦性、Tpeakの左側においてTstart−Tpeak区間の100%、及び右側においてTpeak−Tend区間の100%からなる
F58   平坦性パラメータ、F57、QRS振幅の大きさにより正規化
F59   非対称的な区間内で評価された平坦性、重心（CoM）の左側においてTstart−TCoM区間の10%、及び右側においてTCoM−Tend区間の10%からなる
F60   平坦性パラメータ、F59、QRS振幅の大きさにより正規化
F61   非対称的な区間内で評価された平坦性、重心（CoM）の左側においてTstart−TCoM区間の20%、及び右側においてTCoM−Tend区間の20%からなる
F62   平坦性パラメータ、F61、QRS振幅の大きさにより正規化
F63   非対称的な区間内で評価された平坦性、重心（CoM）の左側においてTstart−TCoM区間の30%、及び右側においてTCoM−Tend区間の30%からなる
F64   平坦性パラメータ、F63、QRS振幅の大きさにより正規化
F65   非対称的な区間内で評価された平坦性、重心（CoM）の左側においてTstart−TCoM区間の40%、及び右側においてTCoM−Tend区間の40%からなる
F66   平坦性パラメータ、F65、QRS振幅の大きさにより正規化
F67   非対称的な区間内で評価された平坦性、重心（CoM）の左側においてTstart−TCoM区間の50%、及び右側においてTCoM−Tend区間の50%からなる
F68   平坦性パラメータ、F67、QRS振幅の大きさにより正規化
F69   非対称的な区間内で評価された平坦性、重心（CoM）の左側においてTstart−TCoM区間の60%、及び右側においてTCoM−Tend区間の60%からなる
F70   平坦性パラメータ、F69、QRS振幅の大きさにより正規化
F71   非対称的な区間内で評価された平坦性、重心（CoM）の左側においてTstart−TCoM区間の70%、及び右側においてTCoM−Tend区間の70%からなる
F72   平坦性パラメータ、F71、QRS振幅の大きさにより正規化
F73   非対称的な区間内で評価された平坦性、重心（CoM）の左側においてTstart−TCoM区間の80%、及び右側においてTCoM−Tend区間の80%からなる
F74   平坦性パラメータ、F73、QRS振幅の大きさにより正規化
F75   非対称的な区間内で評価された平坦性、重心（CoM）の左側においてTstart−TCoM区間の90%、及び右側においてTCoM−Tend区間の90%からなる
F76   平坦性パラメータ、F75、QRS振幅の大きさにより正規化
F77   非対称的な区間内で評価された平坦性、重心（CoM）の左側においてTstart−TCoM区間の100%、及び右側においてTCoM−Tend区間の100%からなる
F78   平坦性パラメータ、F77、QRS振幅の大きさにより正規化
F79   非対称的な区間内で評価された平坦性、jポイントからTendまでのエリアの2%におけるTstart、及び該エリアの98%におけるTendを伴う
F80   平坦性パラメータ、F79、QRS振幅の大きさにより正規化
F81   非対称的な区間内で評価された平坦性、jポイントからTendまでのエリアの5%におけるTstart、及び該エリアの95%におけるTendを伴う
F82   平坦性パラメータ、F81、QRS振幅の大きさにより正規化
F83   非対称的な区間内で評価された平坦性、jポイントからTpeakまでのエリアの2%におけるTstart、及びTpeakからTendまでのエリアの98%におけるTendを伴う
F84   平坦性パラメータ、F83、QRS振幅の大きさにより正規化
F85   非対称的な区間内で評価された平坦性、jポイントからTpeakまでのエリアの5%におけるTstart、及びTpeakからTendまでのエリアの95%におけるTendを伴う
F86   平坦性パラメータ、F85、QRS振幅の大きさにより正規化
F87   非対称的な区間内で評価された平坦性、jポイントからCoMまでのエリアの2%におけるTstart、及びCoMからTendまでのエリアの98%におけるTendを伴う
F88   平坦性パラメータ、F87、QRS振幅の大きさにより正規化
F89   非対称的な区間内で評価された平坦性、jポイントからCoMまでのエリアの5%におけるTstart、及びCoMからTendまでのエリアの95%におけるTendを伴う
F90   平坦性パラメータ、F89、QRS振幅の大きさにより正規化
F91   ピーク度
【００８５】
持続時間
D1    非対称的な区間内で評価された変動、Tpeakの左側においてTstart−Tpeak区間の10%、及び右側においてTpeak−Tend区間の10%からなる
D2    非対称的な区間内で評価された変動、Tpeakの左側においてTstart−Tpeak区間の20%、及び右側においてTpeak−Tend区間の20%からなる
D3    非対称的な区間内で評価された変動、Tpeakの左側においてTstart−Tpeak区間の30%、及び右側においてTpeak−Tend区間の30%からなる
D4    非対称的な区間内で評価された変動、Tpeakの左側においてTstart−Tpeak区間の40%、及び右側においてTpeak−Tend区間の40%からなる
D5    非対称的な区間内で評価された変動、Tpeakの左側においてTstart−Tpeak区間の50%、及び右側においてTpeak−Tend区間の50%からなる
D6    非対称的な区間内で評価された変動、Tpeakの左側においてTstart−Tpeak区間の60%、及び右側においてTpeak−Tend区間の60%からなる
D7    非対称的な区間内で評価された変動、Tpeakの左側においてTstart−Tpeak区間の70%、及び右側においてTpeak−Tend区間の70%からなる
D8    非対称的な区間内で評価された変動、Tpeakの左側においてTstart−Tpeak区間の80%、及び右側においてTpeak−Tend区間の80%からなる
D9    非対称的な区間内で評価された変動、Tpeakの左側においてTstart−Tpeak区間の90%、及び右側においてTpeak−Tend区間の90%からなる
D10   非対称的な区間内で評価された変動、Tpeakの左側においてTstart−Tpeak区間の100%、及び右側においてTpeak−Tend区間の100%からなる
D11   非対称的な区間内で評価された変動、重心の左側においてTstart−TCoM区間の10%、及び右側においてTCoM−Tend区間の10%からなる
D12   非対称的な区間内で評価された変動、重心の左側においてTstart−TCoM区間の20%、及び右側においてTCoM−Tend区間の20%からなる
D13   非対称的な区間内で評価された変動、重心の左側においてTstart−TCoM区間の30%、及び右側においてTCoM−Tend区間の30%からなる
D14   非対称的な区間内で評価された変動、重心の左側においてTstart−TCoM区間の40%、及び右側においてTCoM−Tend区間の40%からなる
D15   非対称的な区間内で評価された変動、重心の左側においてTstart−TCoM区間の50%、及び右側においてTCoM−Tend区間の50%からなる
D16   非対称的な区間内で評価された変動、重心の左側においてTstart−TCoM区間の60%、及び右側においてTCoM−Tend区間の60%からなる
D17   非対称的な区間内で評価された変動、重心の左側においてTstart−TCoM区間の70%、及び右側においてTCoM−Tend区間の70%からなる
D18   非対称的な区間内で評価された変動、重心の左側においてTstart−TCoM区間の80%、及び右側においてTCoM−Tend区間の80%からなる
D19   非対称的な区間内で評価された変動、重心の左側においてTstart−TCoM区間の90%、及び右側においてTCoM−Tend区間の90%からなる
D20   非対称的な区間内で評価された変動、重心の左側においてTstart−TCoM区間の100%、及び右側においてTCoM−Tend区間の100%からなる
D21   対称的な区間内で評価された変動、Tstart−Tend区間の10％、Tpeakを平均としたTpeak周囲
D22   対称的な区間内で評価された変動、Tstart−Tend区間の20％、Tpeakを平均としたTpeak周囲
D23   対称的な区間内で評価された変動、Tstart−Tend区間の30％、Tpeakを平均としたTpeak周囲
D24   対称的な区間内で評価された変動、Tstart−Tend区間の40％、Tpeakを平均としたTpeak周囲
D25   対称的な区間内で評価された変動、Tstart−Tend区間の50％、Tpeakを平均としたTpeak周囲
D26   対称的な区間内で評価された変動、Tstart−Tend区間の60％、Tpeakを平均としたTpeak周囲
D27   対称的な区間内で評価された変動、Tstart−Tend区間の70％、Tpeakを平均としたTpeak周囲
D28   対称的な区間内で評価された変動、Tstart−Tend区間の80％、Tpeakを平均としたTpeak周囲
D29   対称的な区間内で評価された変動、Tstart−Tend区間の90％、Tpeakを平均としたTpeak周囲
D30   対称的な区間内で評価された変動、Tstart−Tend区間の100％、Tpeakを平均としたTpeak周囲
D31   対称的な区間内で評価された変動、Tstart−Tend区間の10％、重心周囲
D32   対称的な区間内で評価された変動、Tstart−Tend区間の20％、重心周囲
D33   対称的な区間内で評価された変動、Tstart−Tend区間の30％、重心周囲
D34   対称的な区間内で評価された変動、Tstart−Tend区間の40％、重心周囲
D35   対称的な区間内で評価された変動、Tstart−Tend区間の50％、重心周囲
D36   対称的な区間内で評価された変動、Tstart−Tend区間の60％、重心周囲
D37   対称的な区間内で評価された変動、Tstart−Tend区間の70％、重心周囲
D38   対称的な区間内で評価された変動、Tstart−Tend区間の80％、重心周囲
D39   対称的な区間内で評価された変動、Tstart−Tend区間の90％、重心周囲
D40   対称的な区間内で評価された変動、Tstart−Tend区間の100％、重心周囲
D41   非対称的な区間内で評価された変動、jポイントからTendまでのエリアの2%におけるTstart、及び該エリアの98%におけるTendを伴う
D42   非対称的な区間内で評価された変動、jポイントからTendまでのエリアの5%におけるTstart、及び該エリアの95%におけるTendを伴う
D43   非対称的な区間内で評価された変動、jポイントからTpeakまでのエリアの2%におけるTstart、及びTpeakからTendまでのエリアの98%におけるTendを伴う
D44   非対称的な区間内で評価された平坦性、jポイントからTpeakまでのエリアの5%におけるTstart、及びTpeakからTendまでのエリアの95%におけるTendを伴う
D45   非対称的な区間内で評価された変動、jポイントから重心までのエリアの2%におけるTstart、及び重心からTendまでのエリアの98%におけるTendを伴う
D46   非対称的な区間内で評価された変動、jポイントから重心までのエリアの5%におけるTstart、及び重心からTendまでのエリアの95%におけるTendを伴う
D47   持続時間パラメータ、D1−D46、QRS振幅の大きさにより正規化
【００８６】
複雑性
C1    凹面上向きスコア（upscore）
C2    凹面パラメータ、C1、凹面測定しきい値Thrcm=0.1を伴う
C3    凹面パラメータ、C1、凹面測定しきい値Thrcm=0.15を伴う
C4    凹面パラメータ、C1、凹面測定しきい値Thrcm=0.2を伴う
C5    凹面パラメータ、C1、LmRcurvに等しい確実性測量を伴う
C6    凹面パラメータ、C1、確実性測量を伴う
C7    凹面パラメータ、C1、30ms LmRcurv除外窓を伴う、Tpeak周囲で対称
C8    凹面パラメータ、C1、20ms LmRcurv除外窓を伴う、Tpeak周囲で対称
C9    凹面パラメータ、C1、20%より下を除外したECG振幅に時間的に対応するLmRcurvポイントを伴う
C10   凹面パラメータ、C1、30%より下を除外したECG振幅に時間的に対応するLmRcurvポイントを伴う
C11   凹面パラメータ、C1、40%より下を除外したECG振幅に時間的に対応するLmRcurvポイントを伴う
C12   凹面パラメータ、C1、50%より下を除外したECG振幅に時間的に対応するLmRcurvポイントを伴う
C13   凹面パラメータ、C1、60%より下を除外したECG振幅に時間的に対応するLmRcurvポイントを伴う
C14   凹面パラメータ、C2、LmRcurvに等しい確実性測量を伴う
C15   凹面パラメータ、C3、LmRcurvに等しい確実性測量を伴う
C16   凹面パラメータ、C4、LmRcurvに等しい確実性測量を伴う
C17   凹面パラメータ、C2、確実性測量を伴う
C18   凹面パラメータ、C3、確実性測量を伴う
C19   凹面パラメータ、C4、確実性測量を伴う
C20   凹面パラメータ、C2、30ms LmRcurv除外窓を伴う、Tpeak周囲で対称
C21   凹面パラメータ、C2、20ms LmRcurv除外窓を伴う、Tpeak周囲で対称
C22   凹面パラメータ、C3、30ms LmRcurv除外窓を伴う、Tpeak周囲で対称
C23   凹面パラメータ、C3、20ms LmRcurv除外窓を伴う、Tpeak周囲で対称
C24   凹面パラメータ、C4、30ms LmRcurv除外窓を伴う、Tpeak周囲で対称
C25   凹面パラメータ、C4、20ms LmRcurv除外窓を伴う、Tpeak周囲で対称
C26   凹面パラメータ、C5、30ms LmRcurv除外窓を伴う、Tpeak周囲で対称
C27   凹面パラメータ、C5、20ms LmRcurv除外窓を伴う、Tpeak周囲で対称
C28   凹面パラメータ、C6、30ms LmRcurv除外窓を伴う、Tpeak周囲で対称
C29   凹面パラメータ、C6、20ms LmRcurv除外窓を伴う、Tpeak周囲で対称
C30   凹面パラメータ、C2、20%より下を除外したECG振幅に時間的に対応するLmRcurvポイントを伴う
C31   凹面パラメータ、C2、30%より下を除外したECG振幅に時間的に対応するLmRcurvポイントを伴う
C32   凹面パラメータ、C2、40%より下を除外したECG振幅に時間的に対応するLmRcurvポイントを伴う
C33   凹面パラメータ、C2、50%より下を除外したECG振幅に時間的に対応するLmRcurvポイントを伴う
C34   凹面パラメータ、C2、60%より下を除外したECG振幅に時間的に対応するLmRcurvポイントを伴う
C35   凹面パラメータ、C3、20%より下を除外したECG振幅に時間的に対応するLmRcurvポイントを伴う
C36   凹面パラメータ、C3、30%より下を除外したECG振幅に時間的に対応するLmRcurvポイントを伴う
C37   凹面パラメータ、C3、40%より下を除外したECG振幅に時間的に対応するLmRcurvポイントを伴う
C38   凹面パラメータ、C3、50%より下を除外したECG振幅に時間的に対応するLmRcurvポイントを伴う
C39   凹面パラメータ、C3、60%より下を除外したECG振幅に時間的に対応するLmRcurvポイントを伴う
C40   凹面パラメータ、C4、20%より下を除外したECG振幅に時間的に対応するLmRcurvポイントを伴う
C41   凹面パラメータ、C4、30%より下を除外したECG振幅に時間的に対応するLmRcurvポイントを伴う
C42   凹面パラメータ、C4、40%より下を除外したECG振幅に時間的に対応するLmRcurvポイントを伴う
C43   凹面パラメータ、C4、50%より下を除外したECG振幅に時間的に対応するLmRcurvポイントを伴う
C44   凹面パラメータ、C4、60%より下を除外したECG振幅に時間的に対応するLmRcurvポイントを伴う
C45   凹面パラメータ、C5、20%より下を除外したECG振幅に時間的に対応するLmRcurvポイントを伴う
C46   凹面パラメータ、C5、30%より下を除外したECG振幅に時間的に対応するLmRcurvポイントを伴う
C47   凹面パラメータ、C5、40%より下を除外したECG振幅に時間的に対応するLmRcurvポイントを伴う
C48   凹面パラメータ、C5、50%より下を除外したECG振幅に時間的に対応するLmRcurvポイントを伴う
C49   凹面パラメータ、C5、60%より下を除外したECG振幅に時間的に対応するLmRcurvポイントを伴う
C50   凹面パラメータ、C6、20%より下を除外したECG振幅に時間的に対応するLmRcurvポイントを伴う
C51   凹面パラメータ、C6、30%より下を除外したECG振幅に時間的に対応するLmRcurvポイントを伴う
C52   凹面パラメータ、C6、40%より下を除外したECG振幅に時間的に対応するLmRcurvポイントを伴う
C53   凹面パラメータ、C6、50%より下を除外したECG振幅に時間的に対応するLmRcurvポイントを伴う
C54   凹面パラメータ、C6、60%より下を除外したECG振幅に時間的に対応するLmRcurvポイントを伴う
C55   凹面パラメータ、C7、20%より下を除外したECG振幅に時間的に対応するLmRcurvポイントを伴う
C56   凹面パラメータ、C7、30%より下を除外したECG振幅に時間的に対応するLmRcurvポイントを伴う
C57   凹面パラメータ、C7、40%より下を除外したECG振幅に時間的に対応するLmRcurvポイントを伴う
C58   凹面パラメータ、C7、50%より下を除外したECG振幅に時間的に対応するLmRcurvポイントを伴う
C59   凹面パラメータ、C7、60%より下を除外したECG振幅に時間的に対応するLmRcurvポイントを伴う
C60   凹面パラメータ、C8、20%より下を除外したECG振幅に時間的に対応するLmRcurvポイントを伴う
C61   凹面パラメータ、C8、30%より下を除外したECG振幅に時間的に対応するLmRcurvポイントを伴う
C62   凹面パラメータ、C8、40%より下を除外したECG振幅に時間的に対応するLmRcurvポイントを伴う
C63   凹面パラメータ、C8、50%より下を除外したECG振幅に時間的に対応するLmRcurvポイントを伴う
C64   凹面パラメータ、C8、60%より下を除外したECG振幅に時間的に対応するLmRcurvポイントを伴う
C65   凹面パラメータ、C14、20%より下を除外したECG振幅に時間的に対応するLmRcurvポイントを伴う
C66   凹面パラメータ、C14、30%より下を除外したECG振幅に時間的に対応するLmRcurvポイントを伴う
C67   凹面パラメータ、C14、40%より下を除外したECG振幅に時間的に対応するLmRcurvポイントを伴う
C68   凹面パラメータ、C14、50%より下を除外したECG振幅に時間的に対応するLmRcurvポイントを伴う
C69   凹面パラメータ、C14、60%より下を除外したECG振幅に時間的に対応するLmRcurvポイントを伴う
C70   凹面パラメータ、C15、20%より下を除外したECG振幅に時間的に対応するLmRcurvポイントを伴う
C71   凹面パラメータ、C15、30%より下を除外したECG振幅に時間的に対応するLmRcurvポイントを伴う
C72   凹面パラメータ、C15、40%より下を除外したECG振幅に時間的に対応するLmRcurvポイントを伴う
C73   凹面パラメータ、C15、50%より下を除外したECG振幅に時間的に対応するLmRcurvポイントを伴う
C74   凹面パラメータ、C15、60%より下を除外したECG振幅に時間的に対応するLmRcurvポイントを伴う
C75   凹面パラメータ、C16、20%より下を除外したECG振幅に時間的に対応するLmRcurvポイントを伴う
C76   凹面パラメータ、C16、30%より下を除外したECG振幅に時間的に対応するLmRcurvポイントを伴う
C77   凹面パラメータ、C16、40%より下を除外したECG振幅に時間的に対応するLmRcurvポイントを伴う
C78   凹面パラメータ、C16、50%より下を除外したECG振幅に時間的に対応するLmRcurvポイントを伴う
C79   凹面パラメータ、C16、60%より下を除外したECG振幅に時間的に対応するLmRcurvポイントを伴う
C80   凹面パラメータ、C17、20%より下を除外したECG振幅に時間的に対応するLmRcurvポイントを伴う
C81   凹面パラメータ、C17、30%より下を除外したECG振幅に時間的に対応するLmRcurvポイントを伴う
C82   凹面パラメータ、C17、40%より下を除外したECG振幅に時間的に対応するLmRcurvポイントを伴う
C83   凹面パラメータ、C17、50%より下を除外したECG振幅に時間的に対応するLmRcurvポイントを伴う
C84   凹面パラメータ、C17、60%より下を除外したECG振幅に時間的に対応するLmRcurvポイントを伴う
C85   凹面パラメータ、C18、20%より下を除外したECG振幅に時間的に対応するLmRcurvポイントを伴う
C86   凹面パラメータ、C18、30%より下を除外したECG振幅に時間的に対応するLmRcurvポイントを伴う
C87   凹面パラメータ、C18、40%より下を除外したECG振幅に時間的に対応するLmRcurvポイントを伴う
C88   凹面パラメータ、C18、50%より下を除外したECG振幅に時間的に対応するLmRcurvポイントを伴う
C89   凹面パラメータ、C18、60%より下を除外したECG振幅に時間的に対応するLmRcurvポイントを伴う
C90   凹面パラメータ、C19、20%より下を除外したECG振幅に時間的に対応するLmRcurvポイントを伴う
C91   凹面パラメータ、C19、30%より下を除外したECG振幅に時間的に対応するLmRcurvポイントを伴う
C92   凹面パラメータ、C19、40%より下を除外したECG振幅に時間的に対応するLmRcurvポイントを伴う
C93   凹面パラメータ、C19、50%より下を除外したECG振幅に時間的に対応するLmRcurvポイントを伴う
C94   凹面パラメータ、C19、60%より下を除外したECG振幅に時間的に対応するLmRcurvポイントを伴う
C95   凹面パラメータ、C20、20%より下を除外したECG振幅に時間的に対応するLmRcurvポイントを伴う
C96   凹面パラメータ、C20、30%より下を除外したECG振幅に時間的に対応するLmRcurvポイントを伴う
C97   凹面パラメータ、C20、40%より下を除外したECG振幅に時間的に対応するLmRcurvポイントを伴う
C98   凹面パラメータ、C20、50%より下を除外したECG振幅に時間的に対応するLmRcurvポイントを伴う
C99   凹面パラメータ、C20、60%より下を除外したECG振幅に時間的に対応するLmRcurvポイントを伴う
C100  凹面パラメータ、C21、20%より下を除外したECG振幅に時間的に対応するLmRcurvポイントを伴う
C101  凹面パラメータ、C21、30%より下を除外したECG振幅に時間的に対応するLmRcurvポイントを伴う
C102  凹面パラメータ、C21、40%より下を除外したECG振幅に時間的に対応するLmRcurvポイントを伴う
C103  凹面パラメータ、C21、50%より下を除外したECG振幅に時間的に対応するLmRcurvポイントを伴う
C104  凹面パラメータ、C21、60%より下を除外したECG振幅に時間的に対応するLmRcurvポイントを伴う
C105  凹面パラメータ、C22、20%より下を除外したECG振幅に時間的に対応するLmRcurvポイントを伴う
C106  凹面パラメータ、C22、30%より下を除外したECG振幅に時間的に対応するLmRcurvポイントを伴う
C107  凹面パラメータ、C22、40%より下を除外したECG振幅に時間的に対応するLmRcurvポイントを伴う
C108  凹面パラメータ、C22、50%より下を除外したECG振幅に時間的に対応するLmRcurvポイントを伴う
C109  凹面パラメータ、C22、60%より下を除外したECG振幅に時間的に対応するLmRcurvポイントを伴う
C110  凹面パラメータ、C23、20%より下を除外したECG振幅に時間的に対応するLmRcurvポイントを伴う
C111  凹面パラメータ、C23、30%より下を除外したECG振幅に時間的に対応するLmRcurvポイントを伴う
C112  凹面パラメータ、C23、40%より下を除外したECG振幅に時間的に対応するLmRcurvポイントを伴う
C113  凹面パラメータ、C23、50%より下を除外したECG振幅に時間的に対応するLmRcurvポイントを伴う
C114  凹面パラメータ、C23、60%より下を除外したECG振幅に時間的に対応するLmRcurvポイントを伴う
C115  凹面パラメータ、C24、20%より下を除外したECG振幅に時間的に対応するLmRcurvポイントを伴う
C116  凹面パラメータ、C24、30%より下を除外したECG振幅に時間的に対応するLmRcurvポイントを伴う
C117  凹面パラメータ、C24、40%より下を除外したECG振幅に時間的に対応するLmRcurvポイントを伴う
C118  凹面パラメータ、C24、50%より下を除外したECG振幅に時間的に対応するLmRcurvポイントを伴う
C119  凹面パラメータ、C24、60%より下を除外したECG振幅に時間的に対応するLmRcurvポイントを伴う
C120  凹面パラメータ、C25、20%より下を除外したECG振幅に時間的に対応するLmRcurvポイントを伴う
C121  凹面パラメータ、C25、30%より下を除外したECG振幅に時間的に対応するLmRcurvポイントを伴う
C122  凹面パラメータ、C25、40%より下を除外したECG振幅に時間的に対応するLmRcurvポイントを伴う
C123  凹面パラメータ、C25、50%より下を除外したECG振幅に時間的に対応するLmRcurvポイントを伴う
C124  凹面パラメータ、C25、60%より下を除外したECG振幅に時間的に対応するLmRcurvポイントを伴う
C125  凹面パラメータ、C26、20%より下を除外したECG振幅に時間的に対応するLmRcurvポイントを伴う
C126  凹面パラメータ、C26、30%より下を除外したECG振幅に時間的に対応するLmRcurvポイントを伴う
C127  凹面パラメータ、C26、40%より下を除外したECG振幅に時間的に対応するLmRcurvポイントを伴う
C128  凹面パラメータ、C26、50%より下を除外したECG振幅に時間的に対応するLmRcurvポイントを伴う
C129  凹面パラメータ、C26、60%より下を除外したECG振幅に時間的に対応するLmRcurvポイントを伴う
C130  凹面パラメータ、C27、20%より下を除外したECG振幅に時間的に対応するLmRcurvポイントを伴う
C131  凹面パラメータ、C27、30%より下を除外したECG振幅に時間的に対応するLmRcurvポイントを伴う
C132  凹面パラメータ、C27、40%より下を除外したECG振幅に時間的に対応するLmRcurvポイントを伴う
C133  凹面パラメータ、C27、50%より下を除外したECG振幅に時間的に対応するLmRcurvポイントを伴う
C134  凹面パラメータ、C27、60%より下を除外したECG振幅に時間的に対応するLmRcurvポイントを伴う
C135  凹面パラメータ、C28、20%より下を除外したECG振幅に時間的に対応するLmRcurvポイントを伴う
C136  凹面パラメータ、C28、30%より下を除外したECG振幅に時間的に対応するLmRcurvポイントを伴う
C137  凹面パラメータ、C28、40%より下を除外したECG振幅に時間的に対応するLmRcurvポイントを伴う
C138  凹面パラメータ、C28、50%より下を除外したECG振幅に時間的に対応するLmRcurvポイントを伴う
C139  凹面パラメータ、C28、60%より下を除外したECG振幅に時間的に対応するLmRcurvポイントを伴う
C140  凹面パラメータ、C29、20%より下を除外したECG振幅に時間的に対応するLmRcurvポイントを伴う
C141  凹面パラメータ、C29、30%より下を除外したECG振幅に時間的に対応するLmRcurvポイントを伴う
C142  凹面パラメータ、C29、40%より下を除外したECG振幅に時間的に対応するLmRcurvポイントを伴う
C143  凹面パラメータ、C29、50%より下を除外したECG振幅に時間的に対応するLmRcurvポイントを伴う
C144  凹面パラメータ、C29、60%より下を除外したECG振幅に時間的に対応するLmRcurvポイントを伴う
C145  CuS = IuSを伴う凹面上向きスコア
C146  凹面パラメータ、C145、凹面測定しきい値Thrcm=0.1を伴う
C147  凹面パラメータ、C145、凹面測定しきい値Thrcm=0.15を伴う
C148  凹面パラメータ、C145、凹面測定しきい値Thrcm=0.2を伴う
C149  凹面パラメータ、C145、LmRcurvに等しい確実性測量を伴う
C150  凹面パラメータ、C145、確実性測量を伴う
C151  凹面パラメータ、C145、30ms LmRcurv除外窓を伴う、Tpeak周囲で対称
C152  凹面パラメータ、C145、20ms LmRcurv除外窓を伴う、Tpeak周囲で対称
C153  凹面パラメータ、C145、20%より下を除外したECG振幅に時間的に対応するLmRcurvポイントを伴う
C154  凹面パラメータ、C145、30%より下を除外したECG振幅に時間的に対応するLmRcurvポイントを伴う
C155  凹面パラメータ、C145、40%より下を除外したECG振幅に時間的に対応するLmRcurvポイントを伴う
C156  凹面パラメータ、C145、50%より下を除外したECG振幅に時間的に対応するLmRcurvポイントを伴う
C157  凹面パラメータ、C145、60%より下を除外したECG振幅に時間的に対応するLmRcurvポイントを伴う
C158  凹面パラメータ、C146、LmRcurvに等しい確実性測量を伴う
C159  凹面パラメータ、C147、LmRcurvに等しい確実性測量を伴う
C160  凹面パラメータ、C148、LmRcurvに等しい確実性測量を伴う
C161  凹面パラメータ、C146、確実性測量を伴う
C162  凹面パラメータ、C147、確実性測量を伴う
C163  凹面パラメータ、C148、確実性測量を伴う
C164  凹面パラメータ、C146、30ms LmRcurv除外窓を伴う、Tpeak周囲で対称
C165  凹面パラメータ、C146、20ms LmRcurv除外窓を伴う、Tpeak周囲で対称
C166  凹面パラメータ、C147、30ms LmRcurv除外窓を伴う、Tpeak周囲で対称
C167  凹面パラメータ、C147、20ms LmRcurv除外窓を伴う、Tpeak周囲で対称
C168  凹面パラメータ、C148、30ms LmRcurv除外窓を伴う、Tpeak周囲で対称
C169  凹面パラメータ、C148、20ms LmRcurv除外窓を伴う、Tpeak周囲で対称
C170  凹面パラメータ、C149、30ms LmRcurv除外窓を伴う、Tpeak周囲で対称
C171  凹面パラメータ、C149、20ms LmRcurv除外窓を伴う、Tpeak周囲で対称
C172  凹面パラメータ、C150、30ms LmRcurv除外窓を伴う、Tpeak周囲で対称
C173  凹面パラメータ、C150、20ms LmRcurv除外窓を伴う、Tpeak周囲で対称
C174  凹面パラメータ、C146、20%より下を除外したECG振幅に時間的に対応するLmRcurvポイントを伴う
C175  凹面パラメータ、C146、30%より下を除外したECG振幅に時間的に対応するLmRcurvポイントを伴う
C176  凹面パラメータ、C146、40%より下を除外したECG振幅に時間的に対応するLmRcurvポイントを伴う
C177  凹面パラメータ、C146、50%より下を除外したECG振幅に時間的に対応するLmRcurvポイントを伴う
C178  凹面パラメータ、C146、60%より下を除外したECG振幅に時間的に対応するLmRcurvポイントを伴う
C179  凹面パラメータ、C147、20%より下を除外したECG振幅に時間的に対応するLmRcurvポイントを伴う
C180  凹面パラメータ、C147、30%より下を除外したECG振幅に時間的に対応するLmRcurvポイントを伴う
C181  凹面パラメータ、C147、40%より下を除外したECG振幅に時間的に対応するLmRcurvポイントを伴う
C182  凹面パラメータ、C147、50%より下を除外したECG振幅に時間的に対応するLmRcurvポイントを伴う
C183  凹面パラメータ、C147、60%より下を除外したECG振幅に時間的に対応するLmRcurvポイントを伴う
C184  凹面パラメータ、C148、20%より下を除外したECG振幅に時間的に対応するLmRcurvポイントを伴う
C185  凹面パラメータ、C148、30%より下を除外したECG振幅に時間的に対応するLmRcurvポイントを伴う
C186  凹面パラメータ、C148、40%より下を除外したECG振幅に時間的に対応するLmRcurvポイントを伴う
C187  凹面パラメータ、C148、50%より下を除外したECG振幅に時間的に対応するLmRcurvポイントを伴う
C188  凹面パラメータ、C148、60%より下を除外したECG振幅に時間的に対応するLmRcurvポイントを伴う
C189  凹面パラメータ、C149、20%より下を除外したECG振幅に時間的に対応するLmRcurvポイントを伴う
C190  凹面パラメータ、C149、30%より下を除外したECG振幅に時間的に対応するLmRcurvポイントを伴う
C191  凹面パラメータ、C149、40%より下を除外したECG振幅に時間的に対応するLmRcurvポイントを伴う
C192  凹面パラメータ、C149、50%より下を除外したECG振幅に時間的に対応するLmRcurvポイントを伴う
C193  凹面パラメータ、C149、60%より下を除外したECG振幅に時間的に対応するLmRcurvポイントを伴う
C194  凹面パラメータ、C150、20%より下を除外したECG振幅に時間的に対応するLmRcurvポイントを伴う
C195  凹面パラメータ、C150、30%より下を除外したECG振幅に時間的に対応するLmRcurvポイントを伴う
C196  凹面パラメータ、C150、40%より下を除外したECG振幅に時間的に対応するLmRcurvポイントを伴う
C197  凹面パラメータ、C150、50%より下を除外したECG振幅に時間的に対応するLmRcurvポイントを伴う
C198  凹面パラメータ、C150、60%より下を除外したECG振幅に時間的に対応するLmRcurvポイントを伴う
C199  凹面パラメータ、C151、20%より下を除外したECG振幅に時間的に対応するLmRcurvポイントを伴う
C200  凹面パラメータ、C151、30%より下を除外したECG振幅に時間的に対応するLmRcurvポイントを伴う
C201  凹面パラメータ、C151、40%より下を除外したECG振幅に時間的に対応するLmRcurvポイントを伴う
C202  凹面パラメータ、C151、50%より下を除外したECG振幅に時間的に対応するLmRcurvポイントを伴う
C203  凹面パラメータ、C151、60%より下を除外したECG振幅に時間的に対応するLmRcurvポイントを伴う
C204  凹面パラメータ、C152、20%より下を除外したECG振幅に時間的に対応するLmRcurvポイントを伴う
C205  凹面パラメータ、C152、30%より下を除外したECG振幅に時間的に対応するLmRcurvポイントを伴う
C206  凹面パラメータ、C152、40%より下を除外したECG振幅に時間的に対応するLmRcurvポイントを伴う
C207  凹面パラメータ、C152、50%より下を除外したECG振幅に時間的に対応するLmRcurvポイントを伴う
C208  凹面パラメータ、C152、60%より下を除外したECG振幅に時間的に対応するLmRcurvポイントを伴う
C209  凹面パラメータ、C158、20%より下を除外したECG振幅に時間的に対応するLmRcurvポイントを伴う
C210  凹面パラメータ、C158、30%より下を除外したECG振幅に時間的に対応するLmRcurvポイントを伴う
C211  凹面パラメータ、C158、40%より下を除外したECG振幅に時間的に対応するLmRcurvポイントを伴う
C212  凹面パラメータ、C158、50%より下を除外したECG振幅に時間的に対応するLmRcurvポイントを伴う
C213  凹面パラメータ、C158、60%より下を除外したECG振幅に時間的に対応するLmRcurvポイントを伴う
C214  凹面パラメータ、C159、20%より下を除外したECG振幅に時間的に対応するLmRcurvポイントを伴う
C215  凹面パラメータ、C159、30%より下を除外したECG振幅に時間的に対応するLmRcurvポイントを伴う
C216  凹面パラメータ、C159、40%より下を除外したECG振幅に時間的に対応するLmRcurvポイントを伴う
C217  凹面パラメータ、C159、50%より下を除外したECG振幅に時間的に対応するLmRcurvポイントを伴う
C218  凹面パラメータ、C159、60%より下を除外したECG振幅に時間的に対応するLmRcurvポイントを伴う
C219  凹面パラメータ、C160、20%より下を除外したECG振幅に時間的に対応するLmRcurvポイントを伴う
C220  凹面パラメータ、C160、30%より下を除外したECG振幅に時間的に対応するLmRcurvポイントを伴う
C221  凹面パラメータ、C160、40%より下を除外したECG振幅に時間的に対応するLmRcurvポイントを伴う
C222  凹面パラメータ、C160、50%より下を除外したECG振幅に時間的に対応するLmRcurvポイントを伴う
C223  凹面パラメータ、C160、60%より下を除外したECG振幅に時間的に対応するLmRcurvポイントを伴う
C224  凹面パラメータ、C161、20%より下を除外したECG振幅に時間的に対応するLmRcurvポイントを伴う
C225  凹面パラメータ、C161、30%より下を除外したECG振幅に時間的に対応するLmRcurvポイントを伴う
C226  凹面パラメータ、C161、40%より下を除外したECG振幅に時間的に対応するLmRcurvポイントを伴う
C227  凹面パラメータ、C161、50%より下を除外したECG振幅に時間的に対応するLmRcurvポイントを伴う
C228  凹面パラメータ、C161、60%より下を除外したECG振幅に時間的に対応するLmRcurvポイントを伴う
C229  凹面パラメータ、C162、20%より下を除外したECG振幅に時間的に対応するLmRcurvポイントを伴う
C230  凹面パラメータ、C162、30%より下を除外したECG振幅に時間的に対応するLmRcurvポイントを伴う
C231  凹面パラメータ、C162、40%より下を除外したECG振幅に時間的に対応するLmRcurvポイントを伴う
C232  凹面パラメータ、C162、50%より下を除外したECG振幅に時間的に対応するLmRcurvポイントを伴う
C233  凹面パラメータ、C162、60%より下を除外したECG振幅に時間的に対応するLmRcurvポイントを伴う
C234  凹面パラメータ、C163、20%より下を除外したECG振幅に時間的に対応するLmRcurvポイントを伴う
C235  凹面パラメータ、C163、30%より下を除外したECG振幅に時間的に対応するLmRcurvポイントを伴う
C236  凹面パラメータ、C163、40%より下を除外したECG振幅に時間的に対応するLmRcurvポイントを伴う
C237  凹面パラメータ、C163、50%より下を除外したECG振幅に時間的に対応するLmRcurvポイントを伴う
C238  凹面パラメータ、C163、60%より下を除外したECG振幅に時間的に対応するLmRcurvポイントを伴う
C239  凹面パラメータ、C164、20%より下を除外したECG振幅に時間的に対応するLmRcurvポイントを伴う
C240  凹面パラメータ、C164、30%より下を除外したECG振幅に時間的に対応するLmRcurvポイントを伴う
C241  凹面パラメータ、C164、40%より下を除外したECG振幅に時間的に対応するLmRcurvポイントを伴う
C242  凹面パラメータ、C164、50%より下を除外したECG振幅に時間的に対応するLmRcurvポイントを伴う
C243  凹面パラメータ、C164、60%より下を除外したECG振幅に時間的に対応するLmRcurvポイントを伴う
C244  凹面パラメータ、C165、20%より下を除外したECG振幅に時間的に対応するLmRcurvポイントを伴う
C245  凹面パラメータ、C165、30%より下を除外したECG振幅に時間的に対応するLmRcurvポイントを伴う
C246  凹面パラメータ、C165、40%より下を除外したECG振幅に時間的に対応するLmRcurvポイントを伴う
C247  凹面パラメータ、C165、50%より下を除外したECG振幅に時間的に対応するLmRcurvポイントを伴う
C248  凹面パラメータ、C165、60%より下を除外したECG振幅に時間的に対応するLmRcurvポイントを伴う
C249  凹面パラメータ、C166、20%より下を除外したECG振幅に時間的に対応するLmRcurvポイントを伴う
C250  凹面パラメータ、C166、30%より下を除外したECG振幅に時間的に対応するLmRcurvポイントを伴う
C251  凹面パラメータ、C166、40%より下を除外したECG振幅に時間的に対応するLmRcurvポイントを伴う
C252  凹面パラメータ、C166、50%より下を除外したECG振幅に時間的に対応するLmRcurvポイントを伴う
C253  凹面パラメータ、C166、60%より下を除外したECG振幅に時間的に対応するLmRcurvポイントを伴う
C254  凹面パラメータ、C167、20%より下を除外したECG振幅に時間的に対応するLmRcurvポイントを伴う
C255  凹面パラメータ、C167、30%より下を除外したECG振幅に時間的に対応するLmRcurvポイントを伴う
C256  凹面パラメータ、C167、40%より下を除外したECG振幅に時間的に対応するLmRcurvポイントを伴う
C257  凹面パラメータ、C167、50%より下を除外したECG振幅に時間的に対応するLmRcurvポイントを伴う
C258  凹面パラメータ、C167、60%より下を除外したECG振幅に時間的に対応するLmRcurvポイントを伴う
C259  凹面パラメータ、C168、20%より下を除外したECG振幅に時間的に対応するLmRcurvポイントを伴う
C260  凹面パラメータ、C168、30%より下を除外したECG振幅に時間的に対応するLmRcurvポイントを伴う
C261  凹面パラメータ、C168、40%より下を除外したECG振幅に時間的に対応するLmRcurvポイントを伴う
C262  凹面パラメータ、C168、50%より下を除外したECG振幅に時間的に対応するLmRcurvポイントを伴う
C263  凹面パラメータ、C168、60%より下を除外したECG振幅に時間的に対応するLmRcurvポイントを伴う
C264  凹面パラメータ、C169、20%より下を除外したECG振幅に時間的に対応するLmRcurvポイントを伴う
C265  凹面パラメータ、C169、30%より下を除外したECG振幅に時間的に対応するLmRcurvポイントを伴う
C266  凹面パラメータ、C169、40%より下を除外したECG振幅に時間的に対応するLmRcurvポイントを伴う
C267  凹面パラメータ、C169、50%より下を除外したECG振幅に時間的に対応するLmRcurvポイントを伴う
C268  凹面パラメータ、C169、60%より下を除外したECG振幅に時間的に対応するLmRcurvポイントを伴う
C269  凹面パラメータ、C170、20%より下を除外したECG振幅に時間的に対応するLmRcurvポイントを伴う
C270  凹面パラメータ、C170、30%より下を除外したECG振幅に時間的に対応するLmRcurvポイントを伴う
C271  凹面パラメータ、C170、40%より下を除外したECG振幅に時間的に対応するLmRcurvポイントを伴う
C272  凹面パラメータ、C170、50%より下を除外したECG振幅に時間的に対応するLmRcurvポイントを伴う
C273  凹面パラメータ、C170、60%より下を除外したECG振幅に時間的に対応するLmRcurvポイントを伴う
C274  凹面パラメータ、C171、20%より下を除外したECG振幅に時間的に対応するLmRcurvポイントを伴う
C275  凹面パラメータ、C171、30%より下を除外したECG振幅に時間的に対応するLmRcurvポイントを伴う
C276  凹面パラメータ、C171、40%より下を除外したECG振幅に時間的に対応するLmRcurvポイントを伴う
C277  凹面パラメータ、C171、50%より下を除外したECG振幅に時間的に対応するLmRcurvポイントを伴う
C278  凹面パラメータ、C171、60%より下を除外したECG振幅に時間的に対応するLmRcurvポイントを伴う
C279  凹面パラメータ、C172、20%より下を除外したECG振幅に時間的に対応するLmRcurvポイントを伴う
C280  凹面パラメータ、C172、30%より下を除外したECG振幅に時間的に対応するLmRcurvポイントを伴う
C281  凹面パラメータ、C172、40%より下を除外したECG振幅に時間的に対応するLmRcurvポイントを伴う
C282  凹面パラメータ、C172、50%より下を除外したECG振幅に時間的に対応するLmRcurvポイントを伴う
C283  凹面パラメータ、C172、60%より下を除外したECG振幅に時間的に対応するLmRcurvポイントを伴う
C284  凹面パラメータ、C173、20%より下を除外したECG振幅に時間的に対応するLmRcurvポイントを伴う
C285  凹面パラメータ、C173、30%より下を除外したECG振幅に時間的に対応するLmRcurvポイントを伴う
C286  凹面パラメータ、C173、40%より下を除外したECG振幅に時間的に対応するLmRcurvポイントを伴う
C287  凹面パラメータ、C173、50%より下を除外したECG振幅に時間的に対応するLmRcurvポイントを伴う
C288  凹面パラメータ、C173、60%より下を除外したECG振幅に時間的に対応するLmRcurvポイントを伴う
C289  凹面下向きスコア
C290  凹面パラメータ、C289、凹面測定しきい値Thrcm=0.1を伴う
C291  凹面パラメータ、C289、凹面測定しきい値Thrcm=0.15を伴う
C292  凹面パラメータ、C289、凹面測定しきい値Thrcm=0.2を伴う
C293  凹面パラメータ、C289、LmRcurvに等しい確実性測量を伴う
C294  凹面パラメータ、C289、確実性測量を伴う
C295  凹面パラメータ、C289、30ms LmRcurv除外窓を伴う、Tpeak周囲で対称
C296  凹面パラメータ、C289、20ms LmRcurv除外窓を伴う、Tpeak周囲で対称
C297  凹面パラメータ、C289、20%より下を除外したECG振幅に時間的に対応するLmRcurvポイントを伴う
C298  凹面パラメータ、C289、30%より下を除外したECG振幅に時間的に対応するLmRcurvポイントを伴う
C299  凹面パラメータ、C289、40%より下を除外したECG振幅に時間的に対応するLmRcurvポイントを伴う
C300  凹面パラメータ、C289、50%より下を除外したECG振幅に時間的に対応するLmRcurvポイントを伴う
C301  凹面パラメータ、C289、60%より下を除外したECG振幅に時間的に対応するLmRcurvポイントを伴う
C302  凹面パラメータ、C290、LmRcurvに等しい確実性測量を伴う
C303  凹面パラメータ、C291、LmRcurvに等しい確実性測量を伴う
C304  凹面パラメータ、C292、LmRcurvに等しい確実性測量を伴う
C305  凹面パラメータ、C290、確実性測量を伴う
C306  凹面パラメータ、C291、確実性測量を伴う
C307  凹面パラメータ、C292、確実性測量を伴う
C308  凹面パラメータ、C290、30ms LmRcurv除外窓を伴う、Tpeak周囲で対称
C309  凹面パラメータ、C290、20ms LmRcurv除外窓を伴う、Tpeak周囲で対称
C310  凹面パラメータ、C291、30ms LmRcurv除外窓を伴う、Tpeak周囲で対称
C311  凹面パラメータ、C291、20ms LmRcurv除外窓を伴う、Tpeak周囲で対称
C312  凹面パラメータ、C292、30ms LmRcurv除外窓を伴う、Tpeak周囲で対称
C313  凹面パラメータ、C292、20ms LmRcurv除外窓を伴う、Tpeak周囲で対称
C314  凹面パラメータ、C293、30ms LmRcurv除外窓を伴う、Tpeak周囲で対称
C315  凹面パラメータ、C293、20ms LmRcurv除外窓を伴う、Tpeak周囲で対称
C316  凹面パラメータ、C294、30ms LmRcurv除外窓を伴う、Tpeak周囲で対称
C317  凹面パラメータ、C294、20ms LmRcurv除外窓を伴う、Tpeak周囲で対称
C318  凹面パラメータ、C290、20%より下を除外したECG振幅に時間的に対応するLmRcurvポイントを伴う
C319  凹面パラメータ、C290、30%より下を除外したECG振幅に時間的に対応するLmRcurvポイントを伴う
C320  凹面パラメータ、C290、40%より下を除外したECG振幅に時間的に対応するLmRcurvポイントを伴う
C321  凹面パラメータ、C290、50%より下を除外したECG振幅に時間的に対応するLmRcurvポイントを伴う
C322  凹面パラメータ、C290、60%より下を除外したECG振幅に時間的に対応するLmRcurvポイントを伴う
C323  凹面パラメータ、C291、20%より下を除外したECG振幅に時間的に対応するLmRcurvポイントを伴う
C324  凹面パラメータ、C291、30%より下を除外したECG振幅に時間的に対応するLmRcurvポイントを伴う
C325  凹面パラメータ、C291、40%より下を除外したECG振幅に時間的に対応するLmRcurvポイントを伴う
C326  凹面パラメータ、C291、50%より下を除外したECG振幅に時間的に対応するLmRcurvポイントを伴う
C327  凹面パラメータ、C291、60%より下を除外したECG振幅に時間的に対応するLmRcurvポイントを伴う
C328  凹面パラメータ、C292、20%より下を除外したECG振幅に時間的に対応するLmRcurvポイントを伴う
C329  凹面パラメータ、C292、30%より下を除外したECG振幅に時間的に対応するLmRcurvポイントを伴う
C330  凹面パラメータ、C292、40%より下を除外したECG振幅に時間的に対応するLmRcurvポイントを伴う
C331  凹面パラメータ、C292、50%より下を除外したECG振幅に時間的に対応するLmRcurvポイントを伴う
C332  凹面パラメータ、C292、60%より下を除外したECG振幅に時間的に対応するLmRcurvポイントを伴う
C333  凹面パラメータ、C293、20%より下を除外したECG振幅に時間的に対応するLmRcurvポイントを伴う
C334  凹面パラメータ、C293、30%より下を除外したECG振幅に時間的に対応するLmRcurvポイントを伴う
C335  凹面パラメータ、C293、40%より下を除外したECG振幅に時間的に対応するLmRcurvポイントを伴う
C336  凹面パラメータ、C293、50%より下を除外したECG振幅に時間的に対応するLmRcurvポイントを伴う
C337  凹面パラメータ、C293、60%より下を除外したECG振幅に時間的に対応するLmRcurvポイントを伴う
C338  凹面パラメータ、C294、20%より下を除外したECG振幅に時間的に対応するLmRcurvポイントを伴う
C339  凹面パラメータ、C294、30%より下を除外したECG振幅に時間的に対応するLmRcurvポイントを伴う
C340  凹面パラメータ、C294、40%より下を除外したECG振幅に時間的に対応するLmRcurvポイントを伴う
C341  凹面パラメータ、C294、50%より下を除外したECG振幅に時間的に対応するLmRcurvポイントを伴う
C342  凹面パラメータ、C294、60%より下を除外したECG振幅に時間的に対応するLmRcurvポイントを伴う
C343  凹面パラメータ、C295、20%より下を除外したECG振幅に時間的に対応するLmRcurvポイントを伴う
C344  凹面パラメータ、C295、30%より下を除外したECG振幅に時間的に対応するLmRcurvポイントを伴う
C345  凹面パラメータ、C295、40%より下を除外したECG振幅に時間的に対応するLmRcurvポイントを伴う
C346  凹面パラメータ、C295、50%より下を除外したECG振幅に時間的に対応するLmRcurvポイントを伴う
C347  凹面パラメータ、C295、60%より下を除外したECG振幅に時間的に対応するLmRcurvポイントを伴う
C348  凹面パラメータ、C296、20%より下を除外したECG振幅に時間的に対応するLmRcurvポイントを伴う
C349  凹面パラメータ、C296、30%より下を除外したECG振幅に時間的に対応するLmRcurvポイントを伴う
C350  凹面パラメータ、C296、40%より下を除外したECG振幅に時間的に対応するLmRcurvポイントを伴う
C351  凹面パラメータ、C296、50%より下を除外したECG振幅に時間的に対応するLmRcurvポイントを伴う
C352  凹面パラメータ、C296、60%より下を除外したECG振幅に時間的に対応するLmRcurvポイントを伴う
C353  凹面パラメータ、C302、20%より下を除外したECG振幅に時間的に対応するLmRcurvポイントを伴う
C354  凹面パラメータ、C302、30%より下を除外したECG振幅に時間的に対応するLmRcurvポイントを伴う
C355  凹面パラメータ、C302、40%より下を除外したECG振幅に時間的に対応するLmRcurvポイントを伴う
C356  凹面パラメータ、C302、50%より下を除外したECG振幅に時間的に対応するLmRcurvポイントを伴う
C357  凹面パラメータ、C302、60%より下を除外したECG振幅に時間的に対応するLmRcurvポイントを伴う
C358  凹面パラメータ、C303、20%より下を除外したECG振幅に時間的に対応するLmRcurvポイントを伴う
C359  凹面パラメータ、C303、30%より下を除外したECG振幅に時間的に対応するLmRcurvポイントを伴う
C360  凹面パラメータ、C303、40%より下を除外したECG振幅に時間的に対応するLmRcurvポイントを伴う
C361  凹面パラメータ、C303、50%より下を除外したECG振幅に時間的に対応するLmRcurvポイントを伴う
C362  凹面パラメータ、C303、60%より下を除外したECG振幅に時間的に対応するLmRcurvポイントを伴う
C363  凹面パラメータ、C304、20%より下を除外したECG振幅に時間的に対応するLmRcurvポイントを伴う
C364  凹面パラメータ、C304、30%より下を除外したECG振幅に時間的に対応するLmRcurvポイントを伴う
C365  凹面パラメータ、C304、40%より下を除外したECG振幅に時間的に対応するLmRcurvポイントを伴う
C366  凹面パラメータ、C304、50%より下を除外したECG振幅に時間的に対応するLmRcurvポイントを伴う
C367  凹面パラメータ、C304、60%より下を除外したECG振幅に時間的に対応するLmRcurvポイントを伴う
C368  凹面パラメータ、C305、20%より下を除外したECG振幅に時間的に対応するLmRcurvポイントを伴う
C369  凹面パラメータ、C305、30%より下を除外したECG振幅に時間的に対応するLmRcurvポイントを伴う
C370  凹面パラメータ、C305、40%より下を除外したECG振幅に時間的に対応するLmRcurvポイントを伴う
C371  凹面パラメータ、C305、50%より下を除外したECG振幅に時間的に対応するLmRcurvポイントを伴う
C372  凹面パラメータ、C305、60%より下を除外したECG振幅に時間的に対応するLmRcurvポイントを伴う
C373  凹面パラメータ、C306、20%より下を除外したECG振幅に時間的に対応するLmRcurvポイントを伴う
C374  凹面パラメータ、C306、30%より下を除外したECG振幅に時間的に対応するLmRcurvポイントを伴う
C375  凹面パラメータ、C306、40%より下を除外したECG振幅に時間的に対応するLmRcurvポイントを伴う
C376  凹面パラメータ、C306、50%より下を除外したECG振幅に時間的に対応するLmRcurvポイントを伴う
C377  凹面パラメータ、C306、60%より下を除外したECG振幅に時間的に対応するLmRcurvポイントを伴う
C378  凹面パラメータ、C307、20%より下を除外したECG振幅に時間的に対応するLmRcurvポイントを伴う
C379  凹面パラメータ、C307、30%より下を除外したECG振幅に時間的に対応するLmRcurvポイントを伴う
C380  凹面パラメータ、C307、40%より下を除外したECG振幅に時間的に対応するLmRcurvポイントを伴う
C381  凹面パラメータ、C307、50%より下を除外したECG振幅に時間的に対応するLmRcurvポイントを伴う
C382  凹面パラメータ、C307、60%より下を除外したECG振幅に時間的に対応するLmRcurvポイントを伴う
C383  凹面パラメータ、C308、20%より下を除外したECG振幅に時間的に対応するLmRcurvポイントを伴う
C384  凹面パラメータ、C308、30%より下を除外したECG振幅に時間的に対応するLmRcurvポイントを伴う
C385  凹面パラメータ、C308、40%より下を除外したECG振幅に時間的に対応するLmRcurvポイントを伴う
C386  凹面パラメータ、C308、50%より下を除外したECG振幅に時間的に対応するLmRcurvポイントを伴う
C387  凹面パラメータ、C308、60%より下を除外したECG振幅に時間的に対応するLmRcurvポイントを伴う
C388  凹面パラメータ、C309、20%より下を除外したECG振幅に時間的に対応するLmRcurvポイントを伴う
C389  凹面パラメータ、C309、30%より下を除外したECG振幅に時間的に対応するLmRcurvポイントを伴う
C390  凹面パラメータ、C309、40%より下を除外したECG振幅に時間的に対応するLmRcurvポイントを伴う
C391  凹面パラメータ、C309、50%より下を除外したECG振幅に時間的に対応するLmRcurvポイントを伴う
C392  凹面パラメータ、C309、60%より下を除外したECG振幅に時間的に対応するLmRcurvポイントを伴う
C393  凹面パラメータ、C310、20%より下を除外したECG振幅に時間的に対応するLmRcurvポイントを伴う
C394  凹面パラメータ、C310、30%より下を除外したECG振幅に時間的に対応するLmRcurvポイントを伴う
C395  凹面パラメータ、C310、40%より下を除外したECG振幅に時間的に対応するLmRcurvポイントを伴う
C396  凹面パラメータ、C310、50%より下を除外したECG振幅に時間的に対応するLmRcurvポイントを伴う
C397  凹面パラメータ、C310、60%より下を除外したECG振幅に時間的に対応するLmRcurvポイントを伴う
C398  凹面パラメータ、C311、20%より下を除外したECG振幅に時間的に対応するLmRcurvポイントを伴う
C399  凹面パラメータ、C311、30%より下を除外したECG振幅に時間的に対応するLmRcurvポイントを伴う
C400  凹面パラメータ、C311、40%より下を除外したECG振幅に時間的に対応するLmRcurvポイントを伴う
C401  凹面パラメータ、C311、50%より下を除外したECG振幅に時間的に対応するLmRcurvポイントを伴う
C402  凹面パラメータ、C311、60%より下を除外したECG振幅に時間的に対応するLmRcurvポイントを伴う
C403  凹面パラメータ、C312、20%より下を除外したECG振幅に時間的に対応するLmRcurvポイントを伴う
C404  凹面パラメータ、C312、30%より下を除外したECG振幅に時間的に対応するLmRcurvポイントを伴う
C405  凹面パラメータ、C312、40%より下を除外したECG振幅に時間的に対応するLmRcurvポイントを伴う
C406  凹面パラメータ、C312、50%より下を除外したECG振幅に時間的に対応するLmRcurvポイントを伴う
C407  凹面パラメータ、C312、60%より下を除外したECG振幅に時間的に対応するLmRcurvポイントを伴う
C408  凹面パラメータ、C313、20%より下を除外したECG振幅に時間的に対応するLmRcurvポイントを伴う
C409  凹面パラメータ、C313、30%より下を除外したECG振幅に時間的に対応するLmRcurvポイントを伴う
C410  凹面パラメータ、C313、40%より下を除外したECG振幅に時間的に対応するLmRcurvポイントを伴う
C411  凹面パラメータ、C313、50%より下を除外したECG振幅に時間的に対応するLmRcurvポイントを伴う
C412  凹面パラメータ、C313、60%より下を除外したECG振幅に時間的に対応するLmRcurvポイントを伴う
C413  凹面パラメータ、C314、20%より下を除外したECG振幅に時間的に対応するLmRcurvポイントを伴う
C414  凹面パラメータ、C314、30%より下を除外したECG振幅に時間的に対応するLmRcurvポイントを伴う
C415  凹面パラメータ、C314、40%より下を除外したECG振幅に時間的に対応するLmRcurvポイントを伴う
C416  凹面パラメータ、C314、50%より下を除外したECG振幅に時間的に対応するLmRcurvポイントを伴う
C417  凹面パラメータ、C314、60%より下を除外したECG振幅に時間的に対応するLmRcurvポイントを伴う
C418  凹面パラメータ、C315、20%より下を除外したECG振幅に時間的に対応するLmRcurvポイントを伴う
C419  凹面パラメータ、C315、30%より下を除外したECG振幅に時間的に対応するLmRcurvポイントを伴う
C420  凹面パラメータ、C315、40%より下を除外したECG振幅に時間的に対応するLmRcurvポイントを伴う
C421  凹面パラメータ、C315、50%より下を除外したECG振幅に時間的に対応するLmRcurvポイントを伴う
C422  凹面パラメータ、C315、60%より下を除外したECG振幅に時間的に対応するLmRcurvポイントを伴う
C423  凹面パラメータ、C316、20%より下を除外したECG振幅に時間的に対応するLmRcurvポイントを伴う
C424  凹面パラメータ、C316、30%より下を除外したECG振幅に時間的に対応するLmRcurvポイントを伴う
C425  凹面パラメータ、C316、40%より下を除外したECG振幅に時間的に対応するLmRcurvポイントを伴う
C426  凹面パラメータ、C316、50%より下を除外したECG振幅に時間的に対応するLmRcurvポイントを伴う
C427  凹面パラメータ、C316、60%より下を除外したECG振幅に時間的に対応するLmRcurvポイントを伴う
C428  凹面パラメータ、C317、20%より下を除外したECG振幅に時間的に対応するLmRcurvポイントを伴う
C429  凹面パラメータ、C317、30%より下を除外したECG振幅に時間的に対応するLmRcurvポイントを伴う
C430  凹面パラメータ、C317、40%より下を除外したECG振幅に時間的に対応するLmRcurvポイントを伴う
C431  凹面パラメータ、C317、50%より下を除外したECG振幅に時間的に対応するLmRcurvポイントを伴う
C432  凹面パラメータ、C317、60%より下を除外したECG振幅に時間的に対応するLmRcurvポイントを伴う
C433  凹面パラメータ、C17、20ms LmRcurv除外窓を伴う、Tpeak周囲で対称
C434  凹面パラメータ、C18、20ms LmRcurv除外窓を伴う、Tpeak周囲で対称
C435  凹面パラメータ、C19、20ms LmRcurv除外窓を伴う、Tpeak周囲で対称
C436  凹面パラメータ、C433、20%より下を除外したECG振幅に時間的に対応するLmRcurvポイントを伴う
C437  凹面パラメータ、C433、30%より下を除外したECG振幅に時間的に対応するLmRcurvポイントを伴う
C438  凹面パラメータ、C433、40%より下を除外したECG振幅に時間的に対応するLmRcurvポイントを伴う
C439  凹面パラメータ、C433、50%より下を除外したECG振幅に時間的に対応するLmRcurvポイントを伴う
C440  凹面パラメータ、C433、60%より下を除外したECG振幅に時間的に対応するLmRcurvポイントを伴う
C441  凹面パラメータ、C434、20%より下を除外したECG振幅に時間的に対応するLmRcurvポイントを伴う
C442  凹面パラメータ、C434、30%より下を除外したECG振幅に時間的に対応するLmRcurvポイントを伴う
C443  凹面パラメータ、C434、40%より下を除外したECG振幅に時間的に対応するLmRcurvポイントを伴う
C444  凹面パラメータ、C434、50%より下を除外したECG振幅に時間的に対応するLmRcurvポイントを伴う
C445  凹面パラメータ、C434、60%より下を除外したECG振幅に時間的に対応するLmRcurvポイントを伴う
C446  凹面パラメータ、C435、20%より下を除外したECG振幅に時間的に対応するLmRcurvポイントを伴う
C447  凹面パラメータ、C435、30%より下を除外したECG振幅に時間的に対応するLmRcurvポイントを伴う
C448  凹面パラメータ、C435、40%より下を除外したECG振幅に時間的に対応するLmRcurvポイントを伴う
C449  凹面パラメータ、C435、50%より下を除外したECG振幅に時間的に対応するLmRcurvポイントを伴う
C450  凹面パラメータ、C435、60%より下を除外したECG振幅に時間的に対応するLmRcurvポイントを伴う
C451  凹面パラメータ、C161、20ms LmRcurv除外窓を伴う、Tpeak周囲で対称
C452  凹面パラメータ、C162、20ms LmRcurv除外窓を伴う、Tpeak周囲で対称
C453  凹面パラメータ、C163、20ms LmRcurv除外窓を伴う、Tpeak周囲で対称
C454  凹面パラメータ、C451、20%より下を除外したECG振幅に時間的に対応するLmRcurvポイントを伴う
C455  凹面パラメータ、C451、30%より下を除外したECG振幅に時間的に対応するLmRcurvポイントを伴う
C456  凹面パラメータ、C451、40%より下を除外したECG振幅に時間的に対応するLmRcurvポイントを伴う
C457  凹面パラメータ、C451、50%より下を除外したECG振幅に時間的に対応するLmRcurvポイントを伴う
C458  凹面パラメータ、C451、60%より下を除外したECG振幅に時間的に対応するLmRcurvポイントを伴う
C459  凹面パラメータ、C452、20%より下を除外したECG振幅に時間的に対応するLmRcurvポイントを伴う
C460  凹面パラメータ、C452、30%より下を除外したECG振幅に時間的に対応するLmRcurvポイントを伴う
C461  凹面パラメータ、C452、40%より下を除外したECG振幅に時間的に対応するLmRcurvポイントを伴う
C462  凹面パラメータ、C452、50%より下を除外したECG振幅に時間的に対応するLmRcurvポイントを伴う
C463  凹面パラメータ、C452、60%より下を除外したECG振幅に時間的に対応するLmRcurvポイントを伴う
C464  凹面パラメータ、C453、20%より下を除外したECG振幅に時間的に対応するLmRcurvポイントを伴う
C465  凹面パラメータ、C453、30%より下を除外したECG振幅に時間的に対応するLmRcurvポイントを伴う
C466  凹面パラメータ、C453、40%より下を除外したECG振幅に時間的に対応するLmRcurvポイントを伴う
C467  凹面パラメータ、C453、50%より下を除外したECG振幅に時間的に対応するLmRcurvポイントを伴う
C468  凹面パラメータ、C453、60%より下を除外したECG振幅に時間的に対応するLmRcurvポイントを伴う
【図１】
2010510840.tif 000015
【図２】
2010510840.tif 000016
【図３】
2010510840.tif 000017
【図４】
2010510840.tif 000018
【図５】
2010510840.tif 000019
【図６】
2010510840.tif 000020
【図７】
2010510840.tif 000021
【図８】
2010510840.tif 000022
【図９】
2010510840.tif 000023
【図１０】
2010510840.tif 000024
【図１１】
2010510840.tif 000025
【図１２】
2010510840.tif 000026
【図１３】
2010510840.tif 000027
【図１４】
2010510840.tif 000028
【図１５】
2010510840.tif 000029
【図１６】
2010510840.tif 000030
【図１７】
2010510840.tif 000031
【図１８】
2010510840.tif 000032
【図１９】
2010510840.tif 000033
【図２０】
2010510840.tif 000034
【国際調査報告】
2010510840.tif 000035
2010510840.tif 000036
2010510840.tif 000037